(57)【要約】  この出願は、データ伝送方法及び装置を提供する。当該方法は、端末により、第１の条件を指し示すために使用される情報を取得し、伝送対象データを取得し、そして、第１の条件が満たされるときに、端末により、サイドリンク上で、第１の搬送波周波数を用いることによって第１の論理チャネル上にある伝送対象データを送信し、且つ第２の搬送波周波数を用いることによって第２の論理チャネル上にある伝送対象データを送信することを含む。この方法においては、同じデータが、サイドリンク上で、２つの論理チャネルを用いることによって異なる搬送波周波数で送られ、受信側の装置が同じ重複データを受信することができ、それによりデータ伝送信頼性が向上される。
2021513276.tif 000002
【特許請求の範囲】
【請求項１】
第１の条件を指し示すために使用される情報を取得し、
伝送対象データを取得し、
前記第１の条件が満たされるときに、サイドリンク上で、第１の搬送波周波数を用いることによって第１の論理チャネル上にある前記伝送対象データを送信し、且つ第２の搬送波周波数を用いることによって第２の論理チャネル上にある前記伝送対象データを送信する、
ことを有するデータ伝送方法。
【請求項２】
当該方法は更に、
第１の搬送波周波数セット及び第２の搬送波周波数セットを決定し、前記第１の搬送波周波数は、前記第１の搬送波周波数セット内の搬送波周波数であり、前記第２の搬送波周波数は、前記第２の搬送波周波数セット内の搬送波周波数であり、前記第１の搬送波周波数セットと前記第１の論理チャネルとの間に対応関係が存在し、前記第２の搬送波周波数セットと前記第２の論理チャネルとの間に対応関係が存在する、
ことを有する、請求項１に記載の方法。
【請求項３】
第１の搬送波周波数セット及び第２の搬送波周波数セットを前記決定することは、
前記第１の搬送波周波数セット及び前記第２の搬送波周波数セットを指し示すために使用される第１の情報を取得し、該第１の情報に基づいて前記第１の搬送波周波数セット及び前記第２の搬送波周波数セットを決定し、該第１の情報は、無線リソース制御ＲＲＣシグナリングにて搬送され、又は事前設定情報である、又は
第３の搬送波周波数セットを指し示すために使用される第２の情報を取得し、該第２の情報に基づいて前記第１の搬送波周波数セット及び前記第２の搬送波周波数セットを決定し、該第２の情報は、ＲＲＣシグナリングにて搬送され、又は事前設定情報である、
ことを有する、請求項２に記載の方法。
【請求項４】
前記伝送対象データはデータ属性を有し、当該方法は更に、
第４の搬送波周波数セットを指し示すために使用される情報を取得し、前記第４の搬送波周波数セットと前記データ属性との間に対応関係が存在し、前記第４の搬送波周波数セットは前記第１の搬送波周波数及び前記第２の搬送波周波数を有する、
ことを有する、請求項１乃至３のいずれか一項に記載の方法。
【請求項５】
前記データ属性は、
優先度、信頼性、遅延、宛先アドレス、及びサービスタイプ、
のうちの１つ以上を有する、請求項４に記載の方法。
【請求項６】
前記第１の条件を指し示すために使用される前記情報は、第１のチャネル輻輳閾値を有し、輻輳条件は、第３の搬送波周波数についてのチャネル輻輳度が前記第１のチャネル輻輳閾値以上であることを有し、又は
前記第１の条件を指し示すために使用される前記情報は、第２のチャネル輻輳閾値を有し、輻輳条件は、第３の搬送波周波数についてのチャネル輻輳度が前記第２のチャネル輻輳閾値以下であることを有し、又は
前記第１の条件を指し示すために使用される前記情報は、第１のチャネル輻輳範囲であり、輻輳条件は、端末の第３の搬送波周波数についてのチャネル輻輳度が前記第１のチャネル輻輳範囲内にあることを有し、
前記第３の搬送波周波数は、ネットワーク装置によって設定される又は事前設定された、サイドリンク通信に使用される搬送波周波数、のうちの１つである、
請求項１乃至５のいずれか一項に記載の方法。
【請求項７】
前記第３の搬送波周波数は、設定又は事前設定を通じて前記ネットワーク装置によって決定され、又は
前記第３の搬送波周波数は、前記端末の送信搬送波周波数のうちのいずれか１つであり、又は
前記第３の搬送波周波数は、前記端末の送信搬送波周波数の中で最小チャネル輻輳度を有する搬送波周波数であり、又は
前記第３の搬送波周波数は、前記端末の送信搬送波周波数の中で最大チャネル輻輳度を有する搬送波周波数であり、又は
前記第３の搬送波周波数は、前記端末の送信搬送波周波数のうち前記伝送対象データをサポートする搬送波周波数のうちのいずれか１つであり、又は
前記第３の搬送波周波数は、前記端末の送信搬送波周波数のうち前記伝送対象データをサポートする搬送波周波数の中で最小チャネル輻輳度を有する搬送波周波数であり、又は
前記第３の搬送波周波数は、前記端末の送信搬送波周波数のうち前記伝送対象データをサポートする搬送波周波数の中で最大チャネル輻輳度を有する搬送波周波数である、
請求項６に記載の方法。
【請求項８】
前記第１の条件を指し示すために使用される前記情報は、第１の信頼性閾値を有し、信頼性条件は、前記伝送対象データの信頼性が前記第１の信頼性閾値以上であることを有し、又は
前記第１の条件を指し示すために使用される前記情報は、第１の列挙された信頼値を有し、信頼性条件は、前記伝送対象データの信頼性が前記第１の列挙された信頼値に等しいことを有し、又は
前記第１の条件を指し示すために使用される前記情報は、第１の信頼性範囲を有し、信頼性条件は、前記伝送対象データの信頼性が前記第１の信頼性範囲内にあることを有する、
請求項１乃至５のいずれか一項に記載の方法。
【請求項９】
当該方法は更に、
各論理チャネルについてのデータ属性に基づいて前記第１の論理チャネル及び前記第２の論理チャネルを決定し、前記データ属性は、優先度、信頼性、遅延、宛先アドレス、及びサービスタイプ、のうちの１つ以上を有すること、又は
論理チャネルＩＤ間の対応関係に基づいて前記第１の論理チャネル及び前記第２の論理チャネルを決定すること、
を有する、請求項１乃至８のいずれか一項に記載の方法。
【請求項１０】
論理チャネルＩＤ間の前記対応関係は、前記第２の論理チャネルのＩＤと前記第１の論理チャネルのＩＤとの差又は和がプリセット値を満たすことを有する、請求項９に記載の方法。
【請求項１１】
当該方法は更に、
第２の条件が満たされるときに、サイドリンク上で第１の搬送波周波数を用いることによって第１の論理チャネル上にある前記伝送対象データを送信し且つ第２の搬送波周波数を用いることによって第２の論理チャネル上にある前記伝送対象データを送信することを、停止させる、
ことを有する、請求項１乃至１０のいずれか一項に記載の方法。
【請求項１２】
前記伝送対象データを送信することを前記停止させる前に、当該方法は更に、
前記第２の条件を指し示すために使用される情報を取得し、前記第２の条件を指し示すために使用される該情報は、第３のチャネル輻輳閾値、第４のチャネル輻輳閾値、及び第２のチャネル輻輳範囲のうちのいずれか１つを有する、
ことを有し、
前記第２の条件は、第４の搬送波周波数についてのチャネル輻輳度が前記第３のチャネル輻輳閾値以上であること、第４の搬送波周波数についてのチャネル輻輳度が前記第４のチャネル輻輳閾値以下であること、又は第４の搬送波周波数についてのチャネル輻輳度が前記第２のチャネル輻輳範囲内にあることを有する、
請求項１１に記載の方法。
【請求項１３】
データ伝送方法であって、
第１の識別子に対応する信頼性情報を有する設定情報を取得し、
データを取得し、該データの信頼性は第１の信頼性であり、
前記第１の信頼性が前記信頼性情報に対応する場合にサイドリンクバッファステータスレポートＢＳＲをネットワーク装置に送信し、該サイドリンクＢＳＲは前記第１の識別子を有する、
ことを有する方法。
【請求項１４】
前記信頼性情報は、第２の信頼性閾値を有し、前記第１の信頼性が前記信頼性情報に対応することは、前記第１の信頼性が前記第２の信頼性閾値以上であることを有し、又は
前記信頼性情報は、第３の信頼性閾値を有し、前記第１の信頼性が前記信頼性情報に対応することは、前記第１の信頼性が前記第３の信頼性閾値以下であることを有し、又は
前記信頼性情報は、第２の列挙された信頼値を有し、前記第１の信頼性が前記信頼性情報に対応することは、前記第１の信頼性が前記第２の列挙された信頼値に等しいことを有し、又は
前記信頼性情報は、第２の信頼性範囲を有し、前記第１の信頼性が前記信頼性情報に対応することは、前記第１の信頼性が前記第２の信頼性範囲内にあることを有する、
請求項１３に記載の方法。
【請求項１５】
前記設定情報は更に優先度情報を有し、前記データに対応する優先度は第１の優先度であり、且つ
前記第１の信頼性が前記信頼性情報に対応する場合にサイドリンクＢＳＲをネットワーク装置に前記送信することは、
前記第１の信頼性が前記信頼性情報に対応し且つ前記第１の優先度が前記優先度情報に対応する場合に前記サイドリンクＢＳＲを前記ネットワーク装置に送信する、
ことを有する、
請求項１３又は１４に記載の方法。
【請求項１６】
前記優先度情報は、第１の優先度閾値を有し、前記第１の優先度が前記優先度情報に対応することは、前記第１の優先度が前記第１の優先度閾値以上であることを有し、又は
前記優先度情報は、第２の優先度閾値を有し、前記第１の優先度が前記優先度情報に対応することは、前記第１の優先度が前記第２の優先度閾値以下であることを有し、又は
前記優先度情報は、第１の列挙された優先値を有し、前記第１の優先度が前記優先度情報に対応することは、前記第１の優先度が前記第１の列挙された優先値に等しいことを有し、又は
前記優先度情報は、第１の優先度範囲を有し、前記第１の優先度が前記優先度情報に対応することは、前記第１の優先度が前記第１の優先度範囲内にあることを有する、
請求項１５に記載の方法。
【請求項１７】
前記第１の識別子は、
第１の論理チャネルグループ識別子、
第１の宛先アドレス識別子、又は
第１の論理チャネルグループ識別子と第１の宛先アドレス識別子、
を有する、請求項１３乃至１６のいずれか一項に記載の方法。
【請求項１８】
データ伝送方法であって、
第１の識別子に対応する信頼性情報を有する設定情報を端末に送信し、前記設定情報は、前記端末のデータの信頼性が前記信頼性情報に対応する場合に、前記端末によってネットワーク装置に送信されるサイドリンクバッファステータスレポートＢＳＲが前記第１の識別子を有すること、を設定するために使用され、
前記端末からの前記サイドリンクＢＳＲを受信する、
ことを有する方法。
【請求項１９】
前記設定情報は更に優先度情報を有し、
前記設定情報は、前記端末の前記データの前記信頼性が前記信頼性情報に対応し且つ前記データの優先度が前記優先度情報に対応する場合に、前記端末によって前記ネットワーク装置に送信される前記サイドリンクＢＳＲが前記第１の識別子を有すること、を設定するために使用される、
請求項１８に記載の方法。
【請求項２０】
前記第１の識別子は、
第１の論理チャネルグループ識別子、
第１の宛先アドレス識別子、又は
第１の論理チャネルグループ識別子と第１の宛先アドレス識別子、
を有する、請求項１８又は１９に記載の方法。
【請求項２１】
プロセッサを有するデータ伝送装置であって、
前記プロセッサは、メモリに結合し、前記メモリ内の命令を読み、且つ該命令に従って請求項１乃至２０のいずれか一項に記載の方法を実行する、ように構成されている、
装置。
【請求項２２】
前記メモリを更に有する請求項２１に記載の装置。
【発明の詳細な説明】
【技術分野】
【０００１】
この出願は、車両のインターネット技術の分野を含め、無線通信技術の分野に関し、特に、データ伝送方法及び装置に関する。
【背景技術】
【０００２】
車両内ネットワーク、車両間ネットワーク、車載モバイルインターネットに基づき、車両のインターネットシステムは、合意された通信プロトコル及びデータ交換標準に従って車両対Ｘ（Vehicle  to  X，Ｖ２Ｘ）無線通信及び情報交換を実装している。Ｖ２Ｘは、車両対車両（Vehicle  to  Vehicle，Ｖ２Ｖ）、車両対ネットワーク（Vehicle  to  Network，Ｖ２Ｎ）、車両対インフラストラクチャ（Vehicle-to-Infrastructure，Ｖ２Ｉ）、車両対歩行者（Vehicle-to-Pedestrian，Ｖ２Ｐ）、又はこれらに類するとし得る。換言すれば、Ｘは、車両、インフラストラクチャの一部、ネットワーク、歩行者、又はこれらに類するものとし得る。車両のインターネットシステムは、交通安全及び交通効率を改善するとともにＶ２Ｘ通信を介して広範なストリーミングメディアサービスをユーザに提供することを狙っている。
【０００３】
セルラー技術は、例えば短い遅延、高速性、及び広いカバレッジなどの利点を持つので、車両のインターネットにおいてＶ２Ｘ通信を行うためにセルラー技術を使用することが現在の主流となっている。図１に示すように、セルラー技術は、サイドリンク（Sidelinkなどとしても知られている）上でのＶ２Ｘ通信に使用され得る。具体的には、ネットワーク装置によってスケジュール若しくは設定されたリソース、又は予め設定されたリソースを、サイドリンク上での直接的な車間対Ｘ通信に使用することができ、ネットワークデバイスによってデータを転送する必要はない。
【０００４】
サイドリンクがＶ２Ｘ通信に使用されるとき、サイドリンクのチャネル特性は急速に変化し、対応するフィードバック機構は存在しないため、サイドリンクの通信信頼性は比較的低い。サイドリンクがＶ２Ｘ通信に使用されるときに、サイドリンク上でのデータ伝送の信頼性をどのように確保するかは、解決すべき喫緊の課題である。
【発明の概要】
【０００５】
この出願は、サイドリンク上でのデータ伝送の信頼性を改善するための、データ伝送方法及び装置を提供する。この適用シナリオは、これに限られないがＶ２Ｘシナリオを含み、例えば装置対装置の適用シナリオ及び機械対機械の適用シナリオなどの、サイドリンクに基づいて通信が実行される全てのシナリオに適用され得る。具体的には、この出願は、以下の技術的ソリューションを開示する。
【０００６】
第１の態様によれば、この出願はデータ伝送方法を提供し、当該方法は、端末により、第１の条件を指し示すために使用される情報を取得し、伝送対象データを取得し、そして、第１の条件が満たされるときに、端末により、サイドリンク上で、第１の搬送波周波数を用いることによって第１の論理チャネル上にある伝送対象データを送信し、且つ第２の搬送波周波数を用いることによって第２の論理チャネル上にある伝送対象データを送信する、ことを含む。
【０００７】
第１の態様を参照するに、第１の態様の一実装において、当該方法は更に、端末により、第１の搬送波周波数セット及び第２の搬送波周波数セットを決定し、第１の搬送波周波数は、第１の搬送波周波数セット内の搬送波周波数であり、第２の搬送波周波数は、第２の搬送波周波数セット内の搬送波周波数であり、第１の搬送波周波数セットと第１の論理チャネルとの間に対応関係が存在し、第２の搬送波周波数セットと第２の論理チャネルとの間に対応関係が存在する、ことを含む。
【０００８】
第１の態様を参照するに、第１の態様の他の一実装において、第１の搬送波周波数セット及び第２の搬送波周波数セットを決定することは、第１の搬送波周波数セット及び第２の搬送波周波数セットを指し示すために使用される第１の情報を取得し、該第１の情報に基づいて第１の搬送波周波数セット及び第２の搬送波周波数セットを決定することであり、該第１の情報は、無線リソース制御ＲＲＣシグナリングにて搬送され、又は事前設定情報であること、又は、第３の搬送波周波数セットを指し示すために使用される第２の情報を取得し、該第２の情報に基づいて第１の搬送波周波数セット及び第２の搬送波周波数セットを決定することであり、該第２の情報は、ＲＲＣシグナリングにて搬送され、又は事前設定情報であること、を含む。
【０００９】
第１の態様を参照するに、第１の態様の更なる他の一実装において、伝送対象データはデータ属性を有し、当該方法は更に、端末により、第４の搬送波周波数セットを指し示すために使用される情報を取得し、第４の搬送波周波数セットはデータ属性に対応し、第４の搬送波周波数セットは第１の搬送波周波数及び第２の搬送波周波数を含む。
【００１０】
第１の態様を参照するに、第１の態様の更なる他の一実装において、データ属性は、以下のうちの１つ以上、すなわち、優先度、信頼性、遅延、宛先アドレス、及びサービスタイプ、のうちの１つ以上を含む。
【００１１】
第１の態様を参照するに、第１の態様の更なる他の一実装において、第１の条件を指し示すために使用される情報は、第１のチャネル輻輳閾値を含み、第１の条件は、第３の搬送波周波数についてのチャネル輻輳度が第１のチャネル輻輳閾値以上であることを含み、又は、第１の条件を指し示すために使用される情報は、第２のチャネル輻輳閾値を含み、第１の条件は、第３の搬送波周波数についてのチャネル輻輳度が第２のチャネル輻輳閾値以下であることを含み、又は、第１の条件を指し示すために使用される情報は、第１のチャネル輻輳範囲であり、第１の条件は、端末の第３の搬送波周波数についてのチャネル輻輳度が第１のチャネル輻輳範囲内にあることを含み、第３の搬送波周波数は、ネットワーク装置によって設定される又は事前設定された、サイドリンク通信に使用される搬送波周波数のうちの１つである。
【００１２】
第１の態様を参照するに、第１の態様の更なる他の一実装において、第３の搬送波周波数は、ＲＲＣシグナリングを用いることによって設定又は事前設定を通じてネットワーク装置によって決定され、又は、第３の搬送波周波数は、端末の送信搬送波周波数のうちのいずれか１つであり、又は、第３の搬送波周波数は、端末の送信搬送波周波数の中で最小チャネル輻輳度を有する搬送波周波数であり、又は、第３の搬送波周波数は、端末の送信搬送波周波数の中で最大チャネル輻輳度を有する搬送波周波数であり、又は、第３の搬送波周波数は、端末の送信搬送波周波数のうち伝送対象データをサポートする搬送波周波数のうちのいずれか１つであり、又は、第３の搬送波周波数は、端末の送信搬送波周波数のうち伝送対象データをサポートする搬送波周波数の中で最小チャネル輻輳度を有する搬送波周波数であり、又は、第３の搬送波周波数は、端末の送信搬送波周波数のうち伝送対象データをサポートする搬送波周波数の中で最大チャネル輻輳度を有する搬送波周波数である。
【００１３】
第１の態様を参照するに、第１の態様の更なる他の一実装において、第１の条件を指し示すために使用される情報は、第１の信頼性閾値を含み、第１の条件は、伝送対象データの信頼性が第１の信頼性閾値以上であることを含み、又は、第１の条件を指し示すために使用される情報は、第１の列挙された信頼値を含み、第１の条件は、伝送対象データの信頼性が第１の列挙された信頼値に等しいことを含み、又は、第１の条件を指し示すために使用される情報は、第１の信頼性範囲を含み、第１の条件は、伝送対象データの信頼性が第１の信頼性範囲内にあることを含む。
【００１４】
第１の態様を参照するに、第１の態様の更なる他の一実装において、当該方法は更に、端末により、各論理チャネルについてのデータ属性に基づいて第１の論理チャネル及び第２の論理チャネルを決定し、データ属性は、優先度、宛先アドレス、遅延、サービスタイプ、及び信頼性、のうちの１つ以上を含むこと、又は、端末により、論理チャネルＩＤ間の対応関係に基づいて、第１の論理チャネル及び第２の論理チャネルを決定すること、を含む。
【００１５】
第１の態様を参照するに、第１の態様の更なる他の一実装において、論理チャネルＩＤ間の対応関係は、第２の論理チャネルのＩＤと、第１の論理チャネルのＩＤとの、差又は和がプリセット値を満たすことを含み、プリセット値は、正の整数である。
【００１６】
第１の態様を参照するに、第１の態様の更なる他の一実装において、当該方法は更に、端末により、第２の条件が満たされるときに、サイドリンク上で第１の搬送波周波数を用いることによって第１の論理チャネル上にある伝送対象データを送信し且つ第２の搬送波周波数を用いることによって第２の論理チャネル上にある伝送対象データを送信することを、停止させる、ことを含む。
【００１７】
第１の態様を参照するに、第１の態様の更なる他の一実装において、端末により、伝送対象データを送信することを停止させる前に、当該方法は更に、端末により、第２の条件を指し示すために使用される情報を取得し、第２の条件を指し示すために使用される該情報は、第３のチャネル輻輳閾値、第４のチャネル輻輳閾値、及び第２のチャネル輻輳範囲のうちのいずれか１つを含む、ことを含み、
第２の条件は、第４の搬送波周波数についてのチャネル輻輳度が第３のチャネル輻輳閾値以上であること、第４の搬送波周波数についてのチャネル輻輳度が第４のチャネル輻輳閾値以下であること、又は第４の搬送波周波数についてのチャネル輻輳度が第２のチャネル輻輳範囲内にあることを含む。
【００１８】
当該方法は、様々なエンティティによって実行され得る。実行エンティティは、端末に限定されず、代わりに、チップ、チップシステム、集積回路、又はこれらに類するものであってもよい。
【００１９】
第２の態様によれば、この出願は更にデータ伝送方法を提供し、当該方法は、端末により、第１の識別子に対応する信頼性情報を含む設定情報を取得し、データを取得し、該データの信頼性は第１の信頼性であり、そして、第１の信頼性が信頼性情報に対応する場合にサイドリンクバッファステータスレポートＢＳＲをネットワーク装置に送信し、該サイドリンクＢＳＲ内の第１のデータフィールドは第１の識別子である、ことを含む。
【００２０】
設定情報は更に、例えば論理チャネルグループ識別子ＬＣＧ  ＩＤといった第１の識別子を含み、第１の識別子と信頼性情報との間に対応関係が存在する。
【００２１】
加えて、取り得る一実装において、当該方法は更に、端末及びネットワーク装置によって事前に、ルール又はプロトコルに規定されたルールについて交渉又は合意することを含む。例えば、少なくとも１つのＬＣＧ  ＩＤが昇順にソートされる。設定情報を受信した後、端末は、ネットワーク装置と合意したルールに従って、少なくとも１つのＬＣＧ  ＩＤの各々に対応する信頼性情報を決定する。
【００２２】
第２の態様を参照するに、第２の態様の一実装において、信頼性情報は、第２の信頼性閾値を含み、第１の信頼性が信頼性情報に対応することは、第１の信頼性が第２の信頼性閾値以上であることを含み、又は
信頼性情報は、第３の信頼性閾値を含み、第１の信頼性が信頼性情報に対応することは、第１の信頼性が第３の信頼性閾値以下であることを含み、又は
信頼性情報は、第２の列挙された信頼値を含み、第１の信頼性が信頼性情報に対応することは、第１の信頼性が第２の列挙された信頼値に等しいことを含み、又は
信頼性情報は、第２の信頼性範囲を含み、第１の信頼性が信頼性情報に対応することは、第１の信頼性が第２の信頼性範囲内にあることを含む。
【００２３】
第２の態様を参照するに、第２の態様の他の一実装において、設定情報は更に優先度情報を含み、データに対応する優先度は第１の優先度であり、且つ、第１の信頼性が信頼性情報に対応する場合にサイドリンクＢＳＲをネットワーク装置に送信することは、第１の信頼性が信頼性情報に対応し且つ第１の優先度が優先度情報に対応する場合にサイドリンクＢＳＲをネットワーク装置に送信する、ことを含む。
【００２４】
第２の態様を参照するに、第２の態様の更なる他の一実装において、優先度情報は、第１の優先度閾値を含み、第１の優先度が優先度情報に対応することは、第１の優先度が第１の優先度閾値以上であることを含み、又は
優先度情報は、第２の優先度閾値を含み、第１の優先度が優先度情報に対応することは、第１の優先度が第２の優先度閾値以下であることを含み、又は
優先度情報は、第１の列挙された優先値を含み、第１の優先度が優先度情報に対応することは、第１の優先度が第１の列挙された優先値に等しいことを含み、又は
優先度情報は、第１の優先度範囲を含み、第１の優先度が優先度情報に対応することは、第１の優先度が第１の優先度範囲内にあることを含む。
【００２５】
第２の態様を参照するに、第２の態様の他の一実装において、第１の識別子は、第１の論理チャネルグループ識別子、第１の宛先アドレス識別子、又は、第１の論理チャネルグループ識別子と第１の宛先アドレス識別子、を含む。
【００２６】
第３の態様によれば、この出願は更にデータ伝送方法を提供し、当該方法は、ネットワーク装置により、第１の識別子に対応する信頼性情報を有する設定情報を端末に送信し、設定情報は、端末のデータの信頼性が信頼性情報に対応する場合に、端末によってネットワーク装置に送信されるサイドリンクバッファステータスレポートＢＳＲ内の第１のデータフィールドを第１の識別子として設定するように端末を設定するために使用され、そして、端末からのサイドリンクＢＳＲを受信する、ことを含む。
【００２７】
第１の識別子は、第１の論理チャネルグループ識別子、第１の宛先アドレス識別子、又は、第１の論理チャネルグループ識別子と第１の宛先アドレス識別子、を含む。
【００２８】
第３の態様を参照するに、第３の態様の一実装において、設定情報は更に優先度情報を含み、設定情報は、端末のデータの信頼性が信頼性情報に対応し且つデータの優先度が優先度情報に対応する場合に、端末によってネットワーク装置に送信されるサイドリンクバッファステータスレポートＢＳＲ内の第１のデータフィールドを第１の識別子として設定するように端末を設定するために使用される。
【００２９】
第４の態様によれば、この出願は更にデータ伝送装置を提供する。当該装置は、第１の態様から第３の態様までの方法ステップ及びそれらの態様に対応する実装を実行するように構成されたユニット及びコンポーネントを含む。
【００３０】
当該装置は、端末、チップ、チップシステム、集積回路、又はこれらに類するものとし得る。
【００３１】
第５の態様によれば、この出願は端末を提供する。当該端末は、第４の態様に従ったデータ伝送装置を含み、また、当該端末は、例えばプロセッサ、トランシーバ、及びメモリなどのコンポーネントを含む。プロセッサは、メモリに格納されたプログラム又は命令を実行して、第１の態様から第３の態様及びそれらの様々な実装に従ったデータ伝送方法を実装し得る。
【００３２】
プロセッサは、メモリに結合し、メモリ内の命令を読むように構成される。具体的に、トランシーバは、第１の条件を指し示すために使用される情報を取得し、そして、伝送対象データを取得するように構成される。プロセッサは、第１の条件が満たされるときに、サイドリンク上で、第１の搬送波周波数を用いることによって第１の論理チャネル上にある伝送対象データを送信し、且つ第２の搬送波周波数を用いることによって第２の論理チャネル上にある伝送対象データを送信する、ように構成される。
【００３３】
第５の態様を参照するに、第５の態様の一実装において、プロセッサは更に、第１の搬送波周波数セット及び第２の搬送波周波数セットを決定するように構成され、第１の搬送波周波数は、第１の搬送波周波数セット内の搬送波周波数であり、第２の搬送波周波数は、第２の搬送波周波数セット内の搬送波周波数であり、第１の搬送波周波数セットと第１の論理チャネルとの間に対応関係が存在し、第２の搬送波周波数セットと第２の論理チャネルとの間に対応関係が存在する。
【００３４】
第５の態様を参照するに、第５の態様の一実装において、プロセッサは更に、第１の情報又は第２の情報に基づいて第１の搬送波周波数セット及び第２の搬送波周波数セットを決定するように構成され、第１の情報及び第２の情報は、トランシーバを使用することによって取得され、第１の情報は、第１の搬送波周波数セット及び第２の搬送波周波数セットを指し示すために使用され、第２の情報は、第３の搬送波周波数セットを指し示すために使用される。第１の情報及び第２の情報は、ＲＲＣシグナリングにて搬送され、又は事前設定情報である。
【００３５】
第５の態様を参照するに、第５の態様の他の一実装において、プロセッサは更に、トランシーバを使用することによって、第４の搬送波周波数セットを指し示すために使用される情報を受信するように構成され、第４の搬送波周波数セットは第１のデータ属性に対応し、第４の搬送波周波数セットは第１の搬送波周波数及び第２の搬送波周波数を含む。
【００３６】
データ属性は、以下のうちの１つ以上、すなわち、優先度、信頼性、遅延、宛先アドレス、及びサービスタイプ、のうちの１つ以上を含む。
【００３７】
オプションで、第１の条件を指し示すために使用される情報は、第１のチャネル輻輳閾値を含み、第１の条件は、第３の搬送波周波数についてのチャネル輻輳度が第１のチャネル輻輳閾値以上であることを含み、又は
第１の条件を指し示すために使用される情報は、第２のチャネル輻輳閾値を含み、第１の条件は、第３の搬送波周波数についてのチャネル輻輳度が第２のチャネル輻輳閾値以下であることを含み、又は
第１の条件を指し示すために使用される情報は、第１のチャネル輻輳範囲を含み、第１の条件は、第３の搬送波周波数についてのチャネル輻輳度が第１のチャネル輻輳範囲内にあることを含み、
第３の搬送波周波数は、ネットワーク装置によって設定される又は事前設定された、サイドリンク通信に使用される搬送波周波数のうちの１つである。
【００３８】
第５の態様を参照するに、第５の態様の更なる他の一実装において、第３の搬送波周波数は、ＲＲＣシグナリングを用いることによって設定又は事前設定を通じてネットワーク装置によって決定され、又は
第３の搬送波周波数は、端末の送信搬送波周波数のうちのいずれか１つであり、又は
第３の搬送波周波数は、端末の送信搬送波周波数の中で最小チャネル輻輳度を有する搬送波周波数であり、又は
第３の搬送波周波数は、端末の送信搬送波周波数の中で最大チャネル輻輳度を有する搬送波周波数であり、又は
第３の搬送波周波数は、端末の送信搬送波周波数のうち伝送対象データをサポートする搬送波周波数のうちのいずれか１つであり、又は
第３の搬送波周波数は、端末の送信搬送波周波数のうち伝送対象データをサポートする搬送波周波数の中で最小チャネル輻輳度を有する搬送波周波数であり、又は
第３の搬送波周波数は、端末の送信搬送波周波数のうち伝送対象データをサポートする搬送波周波数の中で最大チャネル輻輳度を有する搬送波周波数である。
【００３９】
第５の態様を参照するに、第５の態様の更なる他の一実装において、第１の条件を指し示すために使用される情報は、第１の信頼性閾値を含み、第１の条件は、伝送対象データの信頼性が第１の信頼性閾値以上であることを含み、又は
第１の条件を指し示すために使用される情報は、第１の列挙された信頼値を含み、第１の条件は、伝送対象データの信頼性が第１の列挙された信頼値に等しいことを含み、又は
第１の条件を指し示すために使用される情報は、第１の信頼性範囲を含み、第１の条件は、伝送対象データの信頼性が第１の信頼性範囲内にあることを含む。
【００４０】
第５の態様を参照するに、第５の態様の更なる他の一実装において、プロセッサは更に、各論理チャネルについてのデータ属性に基づいて第１の論理チャネル及び第２の論理チャネルを決定するように構成され、データ属性は、優先度、宛先アドレス、遅延、サービスタイプ、及び信頼性、のうちの１つ以上を含む、又は、
論理チャネルＩＤ間の対応関係に基づいて、第１の論理チャネル及び第２の論理チャネルを決定するように構成される。
【００４１】
対応関係は、第２の論理チャネルのＩＤと、第１の論理チャネルのＩＤとの、差又は和がプリセット値を満たすことを含む。
【００４２】
第５の態様を参照するに、第５の態様の更なる他の一実装において、トランシーバは更に、第２の条件が満たされるときに、サイドリンク上で第１の搬送波周波数を用いることによって第１の論理チャネル上にある伝送対象データを送信し且つ第２の搬送波周波数を用いることによって第２の論理チャネル上にある伝送対象データを送信することを、停止させるように構成される。
【００４３】
第５の態様を参照するに、第５の態様の更なる他の一実装において、伝送対象データを送信することを停止させる前に、トランシーバは更に、第２の条件を指し示すために使用される情報を取得するように構成され、第２の条件を指し示すために使用される該情報は、第３のチャネル輻輳閾値、第４のチャネル輻輳閾値、及び第２のチャネル輻輳範囲のうちのいずれか１つを含み、
第２の条件は、第４の搬送波周波数についてのチャネル輻輳度が第３のチャネル輻輳閾値以上であること、第４の搬送波周波数についてのチャネル輻輳度が第４のチャネル輻輳閾値以下であること、又は第４の搬送波周波数についてのチャネル輻輳度が第２のチャネル輻輳範囲内にあることを含む。
【００４４】
第６の態様によれば、この出願は更にコンピュータ記憶媒体を提供する。当該コンピュータ記憶媒体はプログラムを格納することができ、該プログラムが実行されるときに、この出願にて提供されるデータ伝送方法の実施形態におけるステップの一部又は全てが実行され得る。
【００４５】
第７の態様によれば、この出願は更にネットワーク装置を提供する。当該ネットワーク装置は、トランシーバ、プロセッサ、及びメモリを含む。プロセッサは、第１の条件を指し示すために使用される情報を生成し、そして、第１の条件を指し示すために使用される情報を送信するようトランシーバを制御するように構成される。
【００４６】
第７の態様を参照するに、第７の態様の一実装において、第１の条件を指し示すために使用される情報は、第１のチャネル輻輳閾値、第２のチャネル輻輳閾値、又は第１のチャネル輻輳範囲を含む。第１の条件は、端末の第３の搬送波周波数についてのチャネル輻輳度が第１のチャネル輻輳閾値以上であること、端末の第３の搬送波周波数についてのチャネル輻輳度が第２のチャネル輻輳閾値以下であること、又は、端末の第３の搬送波周波数についてのチャネル輻輳度が第１のチャネル輻輳範囲内にあることを含む。
【００４７】
第７の態様を参照するに、第７の態様の他の一実装において、第１の条件を指し示すために使用される情報は、第１の信頼性閾値、第１の列挙された信頼値、又は第１の信頼性範囲を含み、第１の条件は、伝送対象データの信頼性が第１の信頼性閾値以上であること、伝送対象データの信頼性が第１の列挙された信頼値に等しいこと、又は伝送対象データの信頼性が第１の信頼性範囲内にあることを含む。
【００４８】
第７の態様を参照するに、第７の態様の更なる他の一実装において、プロセッサは更に、第２の条件を指し示す情報を生成し、そして、第２の条件を指し示す情報を送信するようトランシーバを制御するように構成される。
【００４９】
第２の条件を指し示すために使用される情報は、第３のチャネル輻輳閾値、第４のチャネル輻輳閾値、及び第２のチャネル輻輳範囲のうちのいずれか１つを含む。第２の条件は、第４の搬送波周波数についてのチャネル輻輳度が第３のチャネル輻輳閾値以上であること、第４の搬送波周波数についてのチャネル輻輳度が第４のチャネル輻輳閾値以下であること、又は第４の搬送波周波数についてのチャネル輻輳度が第２のチャネル輻輳範囲内にあることを含む。
【００５０】
第７の態様を参照するに、第７の態様の更なる他の一実装において、プロセッサは更に、トランシーバを使用することによってＲＲＣシグナリングを送信するように構成され、該ＲＲＣシグナリングは、第３の搬送波周波数を指し示すために使用される情報を含む。第７の態様を参照するに、第７の態様の更なる他の一実装において、プロセッサは更に、トランシーバを使用することによってＲＲＣシグナリングを送信するように構成され、該ＲＲＣシグナリングは、第３の搬送波周波数セットを指し示すために使用される情報を含む。
【００５１】
第７の態様を参照するに、第７の態様の更なる他の一実装において、プロセッサは更に、トランシーバを使用することによってＲＲＣシグナリングを送信するように構成され、該ＲＲＣシグナリングは、第１の搬送波周波数セット及び第２の搬送波周波数セットを指し示すために使用される情報を含む。
【００５２】
第７の態様を参照するに、第７の態様の更なる他の一実装において、プロセッサは更に、トランシーバを使用することによってＲＲＣシグナリングを送信するように構成され、該ＲＲＣシグナリングは、第３の搬送波周波数セットを指し示すために使用される情報を含む。
【００５３】
第７の態様を参照するに、第７の態様の更なる他の一実装において、プロセッサは更に、トランシーバを使用することによってＲＲＣシグナリングを送信するように構成され、該ＲＲＣシグナリングは、第４の搬送波周波数セットを指し示すために使用される情報を含み、第４の搬送波周波数セットは、第１のデータ属性に対応し、且つ第４の搬送波周波数セットは、第１の搬送波周波数及び第２の搬送波周波数を含む。データ属性は、優先度、信頼性、遅延、宛先アドレス、及びサービスタイプのうちの１つ以上を含む。
【００５４】
また、メモリは命令を格納し、プロセッサは、メモリ内の命令を読み、そして、該命令に従って第７の態様の各実装における方法を実行するように構成される。
【００５５】
第８の態様によれば、この出願は更に、命令を含んだコンピュータプログラムプロダクトを提供する。当該コンピュータプログラムプロダクトがコンピュータ上で走るとき、該コンピュータは、前述の態様の全てに従った方法ステップを実行することを可能にされる。
【００５６】
実施形態にて提供されるデータ伝送方法によれば、重複データ伝送をアクティブ化するための条件が満たされるときに、端末は、相異なる搬送波周波数を用いることによって、第１の論理チャネル上にあるデータ及び第２の論理チャネル上にあるデータをサイドリンク上で送信し、第１の論理チャネル及び第２の論理チャネルは、同じＰＤＣＰエンティティからの同じデータを含む。斯くして、サイドリンク上で、相異なる搬送波周波数を用いることによって同じデータが２つの論理チャネル上で送られ、そして、受信装置が、重複した同じデータを受信することができ、それにより、データ伝送の信頼性が改善される。
【図面の簡単な説明】
【００５７】
【図１】この出願に従ったサイドリンクの概略シナリオ図である。
【図２】この出願に従ったＬＴＥシステムのプロトコルスタックの概略構成図である。
【図３】この出願に従ったデータ伝送方法のフローチャートである。
【図４】この出願に従った他のデータ伝送方法のフローチャートである。
【図５】この出願の一実施形態に従ったサイドリンクＢＳＲの概略図である。
【図６】この出願の一実施形態に従った第１のデータフィールドの概略図である。
【図７】この出願に従ったデータ伝送装置の概略構成図である。
【図８】この出願に従った端末の概略構成図である。
【発明を実施するための形態】
【００５８】
この出願の実施形態における技術的ソリューションを当業者がいっそう十分に理解することを可能にするため、及びこの出願の実施形態の目的、特徴、及び利点をいっそう明確かつ理解しやすくするため、以下にて更に、添付図面を参照して、この出願の実施形態における技術的ソリューションを詳細に記述する。
【００５９】
この出願の明細書、特許請求の範囲、及び添付図面において、用語“第１”、“第２”、“第３”、“第４”、及びこれらに類するもの（存在する場合）は、同様の物を区別することを意図しており、必ずしも特定の順序又はシーケンスを指し示すわけではない。理解されるべきことには、このようにして使用される用語は、適切な状況において相互に交換可能であり、それ故に、ここに記載される本発明の実施形態は、ここに記載又は図示される順序以外の順序で実装されることができる。また、用語“含む”、“有する”及び他の変形は、非排他的な包含に及ぶことを意味し、例えば、ステップ又はユニットのリストを含むプロセス、方法、システム、プロダクト、又は装置は、必ずしもそれらのステップ又はユニットに限られるわけではなく、明示的に列記されていない他のステップ又はユニットや、そのようなプロセス、方法、システム、プロダクト、又は装置に本来備わる他のステップ又はユニットを含み得る。
【００６０】
この出願の実施形態における技術的ソリューションを説明する前に、先ず、この出願の実施形態の技術的シナリオを、添付図面を参照して説明する。
【００６１】
この出願の実施形態にて提供される方法は、ＬＴＥ（Long  Term  Evolution，ロングタームエボリューション）システム、又は例えば符号分割多元接続若しくは直交周波数分割多元接続などの無線アクセス技術を使用する無線通信システムに適用され得る。また、この方法は更に、例えば、第５世代（５Ｇ）通信システム、ＮＲ（new  radio，新無線）システム、及びモノのインターネットシステムといった、ＬＴＥシステムのその後の進化システムに適用可能である。この出願の実施形態は更に、ＷＬＡＮシステムに適用され得る。これは本発明において限定されることではない。
【００６２】
この出願の実施形態にて提供される技術的ソリューションは、Ｖ２Ｘ通信シナリオに適用され得る。具体的には、この出願にて提供されるデータ伝送方法は、これに限定されないがＶ２Ｘシナリオを含み、また、例えば装置対装置（Device  to  Device，Ｄ２Ｄ）適用シナリオ及び機械対機械（Machine  to  Machine，Ｍ２Ｍ）適用シナリオなど、サイドリンクに基づいて通信が行われる全てのシナリオに適用され得る。これらの適用シナリオの全てで、この出願にて提供されるデータ伝送方法が使用され得るのであり、詳細は説明しない。
【００６３】
図１に示すように、端末１及び端末２がサイドリンクを介して互いに通信し、端末によって使用される通信リソースが、ネットワーク装置によってスケジュールされ、設定され、又は事前設定され得る。
【００６４】
具体的には、端末は、サイドリンク上での通信に異なるモードを使用し得る。１つのモードでは、ネットワーク装置がリソースをスケジュールする。具体的には、端末がネットワーク装置に要求情報を送信し、ネットワーク装置が、要求情報を受信した後、車両端末のサイドリンク通信のためのリソースを動的又は準動的にスケジュールする。
【００６５】
別の１つのモードでは、端末が自律的にリソースを選択する。具体的には、ネットワーク装置が、無線リソース制御（Radio  Resource  control，ＲＲＣ）シグナリングを用いることによって、端末用にリソースセットを設定し、そして、端末が自律的に、通信のためにリソースセットからリソースを選択する。あるいは、端末は、通信のために、事前設定されたリソースセットからリソースを得る。
【００６６】
ＲＲＣシグナリングは、システム情報ブロック（System  information  Block，ＳＩＢ）メッセージ又は専用無線リソース制御（専用ＲＲＣ）シグナリングとし得る。リソースセットは、幾つかの時間−周波数リソースを含む。オプションで、リソースセットはリソースプールであってもよい。
【００６７】
事前設定は、配信前に端末内でリソースセットが事前設定されること、又はネットワークによって事前設定されて端末内に格納されることを意味する。
【００６８】
また、端末は、リソースプールからリソースをランダムに選択してもよいし、センシング機構に基づいてリソースプールからリソースを選択してもよい。これは、この出願において限定されることではない。
【００６９】
無線通信システム環境において、図１に示す少なくとも１つの端末及びネットワーク装置を含むアーキテクチャが、サイドリンク上でデータを伝送するように使用される。
【００７０】
また、端末は、Ｖ２Ｘにおける車両内の端末装置（例えば、車載端末装置、又は車両にて移動するユーザによって担持される端末装置）であってもよいし、Ｘ（インフラストラクチャ、ネットワーク、歩行者、又はこれらに類するもの）上の端末装置であってもよいし、あるいは、車両端末又はＸであってもよい。加えて、端末は更に、チップ、集積回路、プロセッサ、又はこれらに類するものを含み得る。
【００７１】
この出願における端末装置は無線端末とし得る。無線端末は、例えばモバイルフォン（又は“セルラー”フォンと称される）などのモバイル端末、及びモバイル端末を有するコンピュータとし得る。例えば、モバイル端末は、音声及び／又はデータを無線アクセスネットワークと交換するものである、可搬式の、ポケットサイズの、ハンドヘルドの、コンピュータ内蔵の、又は車両内の、モバイル機器とし得る。例えば、モバイル装置は、例えばパーソナル通信サービス（personal  communication  service，ＰＣＳ）フォン、コードレス電話機セット、セッション初期化プロトコル（session  initiation  protocol，ＳＩＰ）フォン、ワイヤレスローカルループ（wireless  local  loop，ＷＬＬ）局、又はパーソナルデジタルアシスタント（personal  digital  assistant，ＰＤＡ）などの装置とし得る。端末は代わりに、加入者ユニット（subscriber  unit，ＳＵ）、加入者局（subscriber  station，ＳＳ）、移動局（mobile  station，ＭＳ）、リモート局（remote  station，ＲＳ）、リモート端末（遠隔端末、ＲＴ）、アクセス端末（access  terminal，ＡＴ）、ユーザ端末（user  terminal，ＵＴ）、ユーザエージェント（user  agent，ＵＡ）、ユーザ機器、ユーザ装置（user  equipment，ＵＥ）、又はこれらに類するものであってもよい。
【００７２】
オプションで、ネットワーク装置は無線装置を含む。具体的には、無線装置は、アクセスポイント（access  point，ＡＰ）であってもよいし、あるいは、例えば基地局、拡張基地局、スケジューリング機能を有する中継器、又は基地局機能を有する装置などの別のネットワーク装置であってもよい。基地局は、ＬＴＥシステムにおけるエボルブドノードＢ（evolved  Node  B，ｅＮＢ）又は将来の５Ｇネットワークにおける次世代ノード（New  Radio  Node，NR  node，ｇＮＢ）であってもよいし、あるいは、別のシステムにおける基地局であってもよい。形態に関して、基地局は、例えばクラウド無線アクセスネットワーククラウドＲＡＮ基地局といった集中型基地局であってもよいし、あるいは、例えば従来のＧＳＭ基地局といった分散型基地局であってもよいし、あるいは、例えばｇＮＢといった、別個の制御及び転送を備えた基地局であってもよい。これは、この出願の実施態様において限定されることではない。
【００７３】
この出願にて提供されるデータ伝送方法を説明する前に、先ず、通信システムプロトコルスタックを説明する。
【００７４】
図２は、ＬＴＥシステムの通信プロトコルスタックの概略構成図である。上から下へ、このプロトコルスタックは順に、ＲＲＣ層、パケットデータコンバージェンスプロトコル（Packet  Data  Convergence  Protocol，ＰＤＣＰ）層、無線リンク制御（Radio  Link  Control，ＲＬＣ）層、メディアアクセス制御（Media  Access  Control，ＭＡＣ）層、及び物理層（Physical  Layer，ＰＨＹ）を含んでいる。ＰＤＣＰ層は、制御プレーン上のＲＲＣメッセージ及びユーザプレーン上のデータを処理するために使用される。オプションで、ユーザプレーン上で、上位層からデータを受信した後に、ＰＤＣＰ層は、ヘッダ圧縮及びデータの暗号化を実行し、その後、データをＲＬＣ層に配信（submit）し得る。
【００７５】
加えて、オプションで、ＰＤＣＰ層は更に、順序通りのサブミッション機能及び上位層向けの重複パケット検出機能を提供してもよい。オプションで、制御プレーン上で、ＰＤＣＰ層は、上位層ＲＲＣ向けのシグナリング伝送サービスを提供するとともに、ＲＲＣシグナリングのための暗号化及び一貫性保護を実装し得る。
【００７６】
ＭＡＣ層は、論理チャネル（Logical  Channels）でデータ転送サービスを提供する。論理チャネルは、通常、制御チャネルとトラフィックチャネルとに分類される。制御チャネルは、制御プレーン情報を伝送するために使用され、トラフィックチャネルは、ユーザプレーン情報を伝送するために使用される。加えて、ＭＡＣ層は更に、論理チャネルを輸送チャネルにマッピングすることを担う。
【００７７】
ＰＨＹ層はＭＡＣ層の下にある。ＰＨＹ層は、輸送チャネルを物理チャネルにマッピングすることを担う。
【００７８】
ＰＤＣＰ層は、１つ以上のＰＤＣＰエンティティを維持管理することができ、ＲＬＣ層は、１つ以上のＲＬＣエンティティを維持管理することができる。ＬＴＥシステムでは、重複データ伝送が行われないとき、単一のＰＤＣＰエンティティのデータが１つのＲＬＣエンティティに送達される。重複データ伝送がアクティブ化された後、端末は、ＰＤＣＰ層にあって伝送される必要がある同じデータ（同じＰＤＣＰエンティティの同じ伝送対象データ）を、例えば第１の論理チャネルと第２の論理チャネルなどの、２つの論理チャネルに別々に配信する。具体的には、端末は、ＰＤＣＰ層にあって伝送される必要があるデータを、第１のＲＬＣエンティティ及び第２のＲＬＣエンティティに別々に配信する。第１のＲＬＣエンティティは第１の論理チャネルに対応し、第２のＲＬＣエンティティは第２の論理チャネルに対応する。対応関係は、暗示的なものであってもよいし、明示的なものであってもよい。そして、ＭＡＣ層が、リソースを選択し、データをカプセル化する。重複データ伝送において、それらの上で重複データ伝送が行われる２つの論理チャネル上のデータは、異なる輸送ブロック（Transport  Block，ＴＢ）へとカプセル化される必要があり、異なる搬送波周波数を用いて伝送される。
【００７９】
なお、特に断らない限り、この出願における“重複データ伝送”又は“重複伝送”は、“ＰＤＣＰ層データの重複伝送”を指す。この出願の実施形態において、ＰＤＣＰ層データの重複伝送は一例として使用されている。技術が進歩するにつれ、“ＰＤＣＰ層データの重複伝送”は更に、ＰＤＣＰ層データの重複伝送と同様の他のプロトコル層データの重複伝送のシナリオに拡張され得る。これは、この出願において限定されることではない。
【００８０】
また、図２のプロトコルスタックの概略図は、この出願において将来適用されるプロトコルスタックについての限定を構成するものではない。例えば、将来適用されるプロトコルスタック構成では、新たな層が追加されたり、新たな機能が追加されたり、一部の層が削除されたり、あるいは、一部の層の機能が単純化又は組み合わされたりしてもよい。えば、ユーザプレーンプロトコルスタックにおいて、ＰＤＣＰ層の上にサービスデータ適応層（Service  Data  Adaptation  Protocol，ＳＤＡＰ）が存在してもよい。
【００８１】
また、プロトコルスタックは更に、ユーザプレーンプロトコルスタックと制御プレーンプロトコルスタックとに分類されることができ、ユーザプレーンプロトコルスタックは、ＲＲＣ層を必要としないことがある。
【００８２】
図３は、この出願の一実施形態に従ったデータ伝送方法を示している。この方法は、サイドリンク上でのデータ伝送の信頼性を確保するために、サイドリンク上でＰＤＣＰ層データの重複伝送を実装するように使用される。
【００８３】
この方法は、以下のステップを含む。
【００８４】
ステップ１０１：端末が、第１の条件を指し示すために使用される情報を取得する。
【００８５】
第１の条件を指し示すために使用される情報は、ネットワーク装置によって端末に送信されるＲＲＣシグナリングにて搬送されることができ、該ＲＲＣシグナリングは、ＳＩＢメッセージ又は専用ＲＲＣシグナリングとし得る。端末は、該ＲＲＣシグナリングを受信することによって、第１の条件を指し示すために使用される情報を取得する。
【００８６】
あるいは、第１の条件を指し示すために使用される情報は、ネットワーク装置によって端末装置に送信されるデータパケットにて搬送されてもよく、例えば、ＭＡＣ制御エレメント（control  element）（略して“ＭＡＣ  ＣＥ”）に含められてもよい。端末は、該データパケットを受信することによって、第１の条件を指し示すために使用される情報を取得する。
【００８７】
あるいは、第１の条件を指し示すために使用される情報は、物理ダウンリンク制御チャネル（Physical  downlink  control  channel，ＰＤＣＣＨ）上で搬送される。端末は、ＰＤＣＣＨ上でダウンリンク制御情報（downlink  control  indicator，ＤＣＩ）を取得することによって、第１の条件を指し示すために使用される情報を取得する。
【００８８】
あるいは、第１の条件を指し示すために使用される情報は、事前設定情報に含まれる。端末は、事前設定情報から、第１の条件を指し示すために使用される情報を取得する。
【００８９】
オプションの一実装において、第１の条件はアクティブ化条件とし得る。
【００９０】
ステップ１０２：端末が伝送対象データを取得する。伝送対象データは、ＰＤＣＰエンティティの、送られるべきデータ又は送られるべきデータパケットである。
【００９１】
端末は、第１の条件を指し示す情報と伝送対象データとを相異なる時点で取得することができ、例えば、最初に伝送対象データを取得し、次いで、第１の条件を指し示す情報を取得する。あるいは、端末は、第１の条件を指し示す情報及び伝送対象データを同時に取得する。時間シーケンスは、この出願において限定されることではない。
【００９２】
ステップ１０３：第１の条件が満たされるときに、端末がサイドリンク上で、第１の搬送波周波数を用いることによって第１の論理チャネル上にある伝送対象データを送信し、且つ第２の搬送波周波数を用いることによって第２の論理チャネル上にある伝送対象データを送信する。
【００９３】
第１の搬送波周波数は第２の搬送波周波数とは異なり、第１の論理チャネル及び第２の論理チャネルは、同じ伝送対象データを含み、伝送対象データは、同一のＰＤＣＰエンティティからのものである。
【００９４】
オプションの一実装において、端末が第１の条件を満たすとき、端末のＰＤＣＰ層が、送られるべき同じデータを２つのＲＬＣエンティティに別々に配信する。それら２つのＲＬＣエンティティは、２つの論理チャネル（例えば、第１の論理チャネル及び第２の論理チャネル）と一対一の対応関係にある。そして、端末は、第１の論理チャネル上及び第２の論理チャネル上にあるデータを、ピア装置に、２つの異なる搬送波周波数を用いることによって別々に送信する。第１の論理チャネル及び第２の論理チャネルは、サイドリンク上での重複データ伝送を実行するために、同一のＰＤＣＰエンティティからの同じ送られるべきデータを含む。
【００９５】
オプションで、端末のＰＤＣＰ層が同じ伝送対象データを２つのＲＬＣエンティティに別々に配信することは、端末のＰＤＣＰ層が、同じ送られるべきデータのコピーを作成し、次いで、データのそれら２つのピースを２つのＲＬＣエンティティにそれぞれ配信することとし得る。
【００９６】
なお、第１の搬送波周波数を用いることによって第１の論理チャネル上にある伝送対象データを送信することと、第２の搬送波周波数を用いることによって第２の論理チャネル上にある伝送対象データを送信することとの時間シーケンスは、この出願において限定されることではない。理解され得ることには、第１の搬送波周波数についてのリソースが端末に利用可能であるとき、端末は、第１の論理チャネル上にあるデータを、第１の搬送波周波数を用いることによって送信し得る。第２の搬送波周波数についてのリソースが端末に利用可能であるとき、端末は、第２の論理チャネル上にあるデータを、第２の搬送波周波数を用いることによって送信し得る。第１の搬送波周波数及び第１の論理チャネルは一例として用いられている。確かなことには、理解され得ることに、第１の搬送波周波数についてのリソースが端末に利用可能であるとき、各一度の送信では第１の論理チャネル上のデータ全体を含めることはできない。各論理チャネルに関するデータカプセル化ルール（例えば、端末の各論理チャネル及び論理チャネルごとの優先度）を更に考慮する必要があり得る。具体的なカプセル化ルールは、この出願において限定されることではない。
【００９７】
また、取得したリソースの量及び／又はカプセル化ルールに基づいて、端末のＭＡＣ層が、単一の論理チャネル上にあるデータに対してパケット分割を実行してもよい。従って、単一の論理チャネル上にある送られるべきデータが一度に送信されるのか、それとも複数回で送信されるのか、すなわち、データが１つのＴＢで搬送されるのか、それとも複数のＴＢで搬送されるのかは、この出願において限定されることではない。例えば、第１の論理チャネル上の送られるべきデータがセグメント化され得る。この場合、送られるべきデータは、複数のＴＢを用いることによって伝送される必要がある。
【００９８】
他のオプション実装では、重複データ伝送が実行される前に、すなわち、従来のデータ伝送が実行されるときに、第１の搬送波周波数が端末に既に利用可能であってもよく、端末は、第１の搬送波周波数を用いることによって第１の論理チャネル上にあるデータを送信する。第１の条件が満たされた後に、端末は第２の論理チャネルを更に追加し得る。斯くして、同一のＰＤＣＰエンティティからの同じ伝送対象データが、第１の論理チャネル及び第２の論理チャネルの両方に配信される。第１の搬送波周波数は既に利用可能であるので、端末は第２の搬送波周波数を決定し、該第２の搬送波周波数を用いることによって第２の論理チャネル上にあるデータを送信するだけでよい。第２の搬送波周波数は、第１の搬送波周波数とは異なる。
【００９９】
第１の搬送波周波数は、第１の搬送波周波数セット内の搬送波周波数とすることができ、第２の搬送波周波数は、第２の搬送波周波数セット内の搬送波周波数とすることができる。第１の搬送波周波数セットと第１の論理チャネルとの間には対応関係が存在し、第２の搬送波周波数セットと第２の論理チャネルとの間には対応関係が存在する。具体的には、第１の論理チャネル上のデータを送信することには、第１の搬送波周波数セット内のいずれの搬送波周波数が使用されてもよく、第２の論理チャネル上のデータを送信することには、第２の搬送波周波数セット内のいずれの搬送波周波数が使用されてもよい。第１の搬送波周波数セットは、第２の搬送波周波数セットに対して直交である。換言すれば、第１の搬送波周波数セット内の要素は、第２の搬送波周波数セット内の要素とは異なる。対応関係は、暗示的なものであってもよいし、明示的なものであってもよい。第１の搬送波周波数セットは、少なくとも１つの搬送波周波数を含み、第２の搬送波周波数セットは、少なくとも１つの搬送波周波数を含む。
【０１００】
オプションで、重複データ伝送が実行される前に、すなわち、従来のデータ伝送が実行されるときに、第１の搬送波周波数セットが端末に既に利用可能であってもよく、端末は、第１の搬送波周波数セット内の第１の搬送波周波数を用いることによって第１の論理チャネル上にあるデータを送信する。第１の条件が満たされた後に、端末は第２の論理チャネルを更に追加し得る。斯くして、同一のＰＤＣＰエンティティからの同じ伝送対象データが、第１の論理チャネル及び第２の論理チャネルの両方に配信される。第１の搬送波周波数セットは既に利用可能であるので、端末は第２の搬送波周波数セットを決定し、該第２の搬送波周波数セット内の第２の搬送波周波数を用いることによって第２の論理チャネル上にあるデータを送信するだけでよい。
【０１０１】
この場合、ステップ１０３は更に、端末により、第１の搬送波周波数セット及び第２の搬送波周波数セットを決定することを含み得る。第１の搬送波周波数セットは第１の論理チャネルに対応し、第２の搬送波周波数セットは第２の論理チャネルに対応する。
【０１０２】
第１の搬送波周波数セット及び第２の搬送波周波数セットは、端末によって決定される。さらに、第１の搬送波周波数セットは第１の論理チャネルに対応し、第２の搬送波周波数セットは第２の論理チャネルに対応する。対応関係は、暗示的なものであってもよいし、明示的なものであってもよい。第１の搬送波周波数セットは、少なくとも１つの搬送波周波数を含み、第２の搬送波周波数セットは、少なくとも１つの搬送波周波数を含む。
【０１０３】
他のオプション実装において、端末は、第３の搬送波周波数セットを指し示すために使用される情報を取得し、第３の搬送波周波数セットに基づいて第１の搬送波周波数セット及び第２の搬送波周波数セットを決定し、第３の搬送波周波数セットを指し示すために使用される情報は、ＲＲＣシグナリングにて搬送される又は事前設定情報であるとし得る。
【０１０４】
この出願において、“搬送波周波数セット”を指し示すために使用される情報は、少なくとも１つの搬送波周波数識別子とし得る。端末は、少なくとも１つの搬送波周波数識別子を取得することによって、該少なくとも１つの搬送波周波数識別子が指す少なくとも１つの搬送波周波数を決定することで、“搬送波周波数セット”を決定し得る。それに代えて、“搬送波周波数セット”を指し示すために使用される情報は、搬送波周波数識別子シーケンスであってもよい。端末は、搬送波周波数識別子シーケンスを取得することによって、該搬送波周波数識別子シーケンスが指す搬送波周波数シーケンスを決定することで、“搬送波周波数セット”を決定する。
【０１０５】
例えば、基地局によって送信されるＳＩＢメッセージが、第３の搬送波周波数セットを指し示すために使用される情報を含む。指し示しは、暗示的なものであってもよいし、明示的なものであってもよい。例えば、ＳＩＢメッセージは、直接的に搬送波周波数識別子シーケンス｛ＣＣ１，ＣＣ２，ＣＣ３｝を含み、ＣＣ１、ＣＣ２、及びＣＣ３は、異なる搬送波周波数識別子である。あるいは、第３の搬送波周波数セットは、基地局によって設定されてＶ２Ｘ通信に使用される複数の送信搬送波周波数を含み、各送信搬送波周波数が、搬送波周波数識別子を用いることによって指し示され得る。第３の搬送波周波数セットを指し示すために使用される情報は、少なくとも１つの搬送波周波数識別子とし得る。端末は、少なくとも１つの送信搬送波周波数識別子を取得することによって少なくとも１つの送信搬送波周波数を決定することで、第３の搬送波周波数セットを取得する。
【０１０６】
なお、第１の搬送波周波数セット及び第２の搬送波周波数セットは、必ずしも第３の搬送波周波数セットの唯一のパーティションではない。例えば、相異なるＶ２Ｘサービスが相異なる搬送波周波数で伝送される必要があり得るが、第３の搬送波周波数セット内の一部の搬送波周波数がＶ２Ｘサービスをサポートしないことがある。この場合、第１の搬送波周波数セット又は第２の搬送波周波数セットのいずれも、Ｖ２Ｘサービスをサポートしない搬送波周波数を含まない。
【０１０７】
送信搬送波周波数に基づいて端末が第１の搬送波周波数セット及び第２の搬送波周波数セットを決定することは、端末により、伝送対象Ｖ２Ｘサービスと第３の搬送波周波数セットに含まれる搬送波周波数とに基づいて、第１の搬送波周波数セット及び第２の搬送波周波数セットを決定することを含む。
【０１０８】
他のオプション実装において、端末は、ネットワーク装置から受信したＲＲＣシグナリングに基づいて、第１の搬送波周波数セット及び第２の搬送波周波数セットを決定し、該ＲＲＣシグナリングは、第１の搬送波周波数セット及び第２の搬送波周波数セットを指し示すために使用される情報を含む。例えば、ネットワーク装置によって送信されるＲＲＣシグナリングは、第１の搬送波周波数識別子シーケンス及び第２の搬送波周波数識別子シーケンスを含み得る。端末は、このＲＲＣシグナリングを用いることによって、第１の搬送波周波数セット及び第２の搬送波周波数セットを取得する。端末は、第１の搬送波周波数セットと第１の論理チャネルとの間の対応関係を確立するとともに、第２の搬送波周波数セットと第２の論理チャネルとの間の対応関係を確立する。
【０１０９】
更なる他の一実装において、ネットワーク装置によって送信されるＲＲＣシグナリングは更に論理チャネル識別子を含む。例えば、ＲＲＣシグナリングは、論理チャネル識別子１、第１の搬送波周波数セットを指し示すために使用される情報、論理チャネル識別子２、第２の搬送波周波数セットを指し示すために使用される情報、及びこれらに類するものを含む。搬送波周波数セットを指し示すために使用される情報は、少なくとも１つの搬送波周波数識別子とすることができ、対応する搬送波周波数を指し示すために使用される。また、論理チャネル識別子１が第１の論理チャネルを指し得るとともに、論理チャネル識別子２が第２の論理チャネルを指し得る。
【０１１０】
また、搬送波周波数は、キャリア又はキャリア周波数とも呼ばれることがあり、例えば２．５ＧＨｚ又は３ＧＨｚといった、ヘルツ（Ｈｚ）単位の特定の周波数の電波とし得る。無線通信において、搬送波周波数又はキャリアは、通常、情報を伝送するために使用される。デジタル信号が高周波キャリア上に変調されてから空気中で送信及び受信される。理解され得ることには、搬送波周波数を用いることによって伝送を行うことは、搬送波周波数上で時間−周波数リソースを使用することによってデータを伝送することを意味する。
【０１１１】
以下にて、この方法における第１の条件及び第１の条件を指し示すために使用される情報を詳細に説明する。
【０１１２】
ステップ１０１において、第１の条件を指し示すために使用される情報は、チャネル輻輳情報及び信頼性情報のうちの１つ以上を含む。ステップ１０３において、第１の条件は、輻輳条件及び信頼性条件のうちの１つ以上を含む。
【０１１３】
第１の条件を指し示す情報が、チャネル輻輳情報及び信頼性情報を含む、又は輻輳条件及び信頼性条件を含む場合、ＰＤＣＰ層データの重複伝送をアクティブ化するための条件が、チャネル輻輳決定条件及び信頼性決定条件の両方を満たす必要がある。この実施形態では、以下にて、第１の条件を指し示すために使用される情報がチャネル輻輳情報又は信頼性情報であるときに使用されるアクティブ化条件を別々に詳細に説明する。第１の条件に関する情報がチャネル輻輳情報及び信頼性情報であるときには、アクティブ化条件について、本実施形態においての、第１の条件に関する情報がチャネル輻輳情報であるときに使用されるアクティブ化条件の説明と、第１の条件に関する情報が信頼性情報であるときに使用されるアクティブ化条件の説明とを参照されたい。
【０１１４】
特定の実装において、第１の条件はアクティブ化条件とすることができ、第１の条件を指し示すために使用される情報は、アクティブ化条件を指し示すために使用される情報とすることができる。
【０１１５】
また、チャネル輻輳情報は、第１のチャネル輻輳閾値、第２のチャネル輻輳閾値、及び第１のチャネル輻輳範囲のうちのいずれか１つを含む。
【０１１６】
第１の条件は、次のうちのいずれか１つ、すなわち、
第３の搬送波周波数についてのチャネル輻輳度が第１のチャネル輻輳閾値以上であること、
第３の搬送波周波数についてのチャネル輻輳度が第２のチャネル輻輳閾値以下であること、又は
第３の搬送波周波数についてのチャネル輻輳度が第１のチャネル輻輳範囲内にあること、
のうちのいずれか１つを含み、
第３の搬送波周波数は、ネットワーク装置によって設定される又は事前設定された、サイドリンク通信に使用される搬送波周波数のうちの１つである。
【０１１７】
オプションで、第３の搬送波周波数は、ＲＲＣシグナリングを用いることによって、基地局によって設定又は事前設定されることができ、第３の搬送波周波数は、端末の送信搬送波周波数のうちのいずれか１つであるとすることができ、第３の搬送波周波数は、端末の送信搬送波周波数の中で最小チャネル輻輳度を有する送信搬送波周波数であるとすることができ、第３の搬送波周波数は、端末の送信搬送波周波数の中で最大チャネル輻輳度を有する送信搬送波周波数であるとすることができ、第３の搬送波周波数は、端末の送信搬送波周波数のうち伝送対象データをサポートする送信搬送波周波数のうちのいずれか１つであるとすることができ、第３の搬送波周波数は、端末の送信搬送波周波数のうち伝送対象データをサポートする搬送波周波数の中で最小チャネル輻輳度を有する搬送波周波数であるとすることができ、又は、第３の搬送波周波数は、端末の送信搬送波周波数のうち伝送対象データをサポートする搬送波周波数の中で最大チャネル輻輳度を有する搬送波周波数であるとすることができる。
【０１１８】
端末の送信搬送波周波数は、サイドリンクデータ伝送又は通信を行うために端末によって現在使用されている搬送波周波数である。
【０１１９】
また、この出願において、第３の搬送波周波数は、第１の搬送波周波数又は第２の搬送波周波数と同じであってもよいし、異なってもよい。
【０１２０】
この出願において、チャネル輻輳情報は、チャネル輻輳情報を指す又は指し示すために使用される識別子、インデックス、又は他の情報に限定されないとし得る。チャネル輻輳情報が第１のチャネル輻輳閾値であることは、一例として使用されている。第１のチャネル輻輳閾値は、識別子、インデックス、又は第１のチャネル輻輳閾値それ自体を用いることによって、第１の信頼性閾値を指してもよい。
【０１２１】
チャネル輻輳度は、チャネルの負荷状態を指し示す。例えば、チャネル輻輳度は、第３世代パートナーシッププロジェクトＴＳ３６．２１４  Ｖ１５．０．１のセクション５．１．３０に規定されているチャネルビジー比（channel  busy  ratio，ＣＢＲ）とし得る。
より重いチャネル負荷は、より高いチャネル輻輳度を指し示す。搬送波周波数に対応するチャネル輻輳度、又は搬送波周波数についてのチャネル輻輳度は、その搬送波周波数に対する時間−周波数リソースセットにおけるチャネル輻輳度である。具体的には時間−周波数リソースセットはリソースプールとし得る。例えば、搬送波周波数Ａに対応するチャネル輻輳度は、搬送波周波数Ａに対する第１のリソースプールにおけるチャネル輻輳度であり、搬送波周波数Ｂに対応するチャネル輻輳度は、搬送波周波数Ｂに対する第２のリソースプールにおけるチャネル輻輳度である。
【０１２２】
また、チャネル輻輳度は、測定を通じて端末によって取得されてもよいし、あるいは、ＲＲＣシグナリングを使用することにより、ネットワーク装置によって端末に通知されてもよい。
【０１２３】
例１
基地局が端末にＲＲＣシグナリングを送信し、該ＲＲＣシグナリングは、０．５という第１のチャネル輻輳閾値を含み、第１の条件はアクティブ化条件であり、第３の搬送波周波数についてのチャネル輻輳度は、第１のチャネル輻輳閾値以上である。端末は、サイドリンクデータ伝送を行うために搬送波周波数｛ＣＣ１，ＣＣ２，ＣＣ３｝を使用している。すなわち、端末の送信搬送波周波数は｛ＣＣ１，ＣＣ２，ＣＣ３｝であり、送信搬送波周波数に対応するチャネル輻輳度は、それぞれ、｛０．２，０．６，０．３｝である。加えて、第３の搬送波周波数が送信搬送波周波数の中で最大チャネル輻輳度を有する搬送波周波数である場合、第３の搬送波周波数はＣＣ２である。
【０１２４】
第３の搬送波周波数に対応するチャネル輻輳度０．６が、第１のチャネル輻輳閾値０．５よりも大きいので、この場合、重複データ伝送がアクティブ化される。端末は、ＰＤＣＰレイヤで送られるべき同じデータを第１の論理チャネル及び第２の論理チャネルに配信し、第１の論理チャネル上にあるデータを、第１の搬送波周波数を用いることによって送信し、第２の論理チャネル上にあるデータを、第２の搬送波周波数を用いることによって送信する。
【０１２５】
例えば、Ｖ２Ｘ通信において、アクセス層にデータを配信するとき、上位層（アクセス層より上）は、データに対応するデータ属性又は識別子を、プリミティブを用いることによってアクセス層に配信する。データ属性又は識別子は、優先度、信頼性、遅延、宛先アドレス、サービスタイプ、及びこれらに類するもの、のうちの少なくとも１つを含み得る。上位層によってアクセス層に配信されるデータはデータパケットとし得る。データ属性又は識別子は、代わりに別のやり方で取得されてもよい。これは、本発明において限定されることではない。
【０１２６】
異なるデータは、異なる優先度に対応する。アクセス層では、通常、異なるデータ優先度に対して異なるパラメータが設定され、違いを付けた処理が実行される。
【０１２７】
端末は、複数の異なるタイプのサービスを有し得る。異なるタイプのサービスは、異なるタイプの受信端及び／又は異なるタイプの送信端に対応するサービスとし得る。例えば、異なるタイプのサービスは、Ｖ２Ｖサービス、Ｖ２Ｐサービス、Ｖ２Ｉサービス、Ｐ２Ｖサービス、Ｐ２Ｐサービス、Ｐ２Ｉサービス、及びこれらに類するものとし得る。代わりに、例えば、異なるタイプのサービスは、例えばＩＴＳ−ＡＩＤ（ITS  Application  Identifier）又はＰＳＩＤ（Provider  Service  Identifier）といった、アプリケーション層にて担持される又は上位層（アクセス層より上）によって送信されるアプリケーション層識別子を用いることによって識別されてもよい。
【０１２８】
異なる宛先アドレスは、異なる受信端を指し示す。例えば、端末Ａが端末Ｂと通信し、且つ端末Ａが端末Ｃと通信するとき、対応する宛先アドレスは通常異なる。オプションで、端末がブロードキャスト通信を行うとき、宛先アドレスとサービスタイプとの間にマッピング関係が存在し得る。
【０１２９】
また、信頼性は、データの伝送信頼性要求／レベルを反映し、又はデータの重要性の程度／レベルを反映する。伝送信頼性要求は、これに限られないがエンドツーエンド伝送信頼性要求とし得る。例えば、伝送信頼性は、１ビット誤り率（1-bit  error  rate）、１シンボル誤り率（1-symbol  error  rate）、１パケット誤り率（1-packet  error  rate）、又はこれらに類するものとして定義され得る。詳細な定義については、第３世代パートナーシッププロジェクトによって規定されたＬＴＥプロトコルにおける記述を参照されたい。より高い信頼性は、そのデータがよりいっそう重要であることを指し示す。
【０１３０】
遅延は、データの伝送遅延要求を反映する。例えば、遅延は、エンドツーエンド伝送遅延、エアインタフェース遅延要求、パケット遅延量、伝送時間インターバル、又はこれらに類するものとし得る。
【０１３１】
データ属性は、以下に限られないが、データ属性を指す又は指し示す識別子、インデックス、又は他の情報とし得る。例えば、データ属性は信頼性である。信頼性は、信頼性識別子、信頼性インデックス、又は信頼性それ自体とし得る。
【０１３２】
異なるデータ属性又は異なる識別子を持つ伝送対象データは、異なる搬送波周波数を使用して送信される必要があるとし得るので、伝送対象データの各ピースに対して、それ上でデータが送信されることが許可される搬送波周波数又は搬送波周波数セットが存在する。
【０１３３】
例えば、様々な地域における規制によれば、異なるＶ２Ｘサービスは異なる搬送波周波数を用いて伝送される必要があることがある。例えば、サービスタイプ１はセキュリティサービスであり、そのサービスは搬送波周波数｛ＣＣ１，ＣＣ２｝上で伝送される必要があり、サービスタイプ２は非セキュリティサービスであり、そのサービスは搬送波周波数｛ＣＣ３｝を用いて伝送される必要がある。
【０１３４】
また、基地局は、異なる優先度を持つデータを、異なる搬送波周波数を用いることによって伝送されるように設定し得る。例えば、基地局は、ＲＲＣシグナリングを用いることによって、その優先度が１であるデータに対して搬送波周波数セット｛ＣＣ１，ＣＣ２，ＣＣ３｝を設定し、その優先度が２であるデータに対しては搬送波周波数セット｛ＣＣ１，ＣＣ４，ＣＣ５｝を設定し得る。斯くして、その優先度が１であるデータは、搬送波周波数ＣＣ１、ＣＣ２、又はＣＣ３を用いて伝送されることが許され、その優先度が２であるデータは、搬送波周波数ＣＣ３、ＣＣ４、又はＣＣ５を用いて伝送されることが許される。
【０１３５】
斯くして、その対応するサービスタイプが１であり且つ優先度が１である伝送対象データは、搬送波周波数セット｛ＣＣ１，ＣＣ２｝と搬送波周波数セット｛ＣＣ１，ＣＣ２，ＣＣ３｝との共通する搬送波周波数（すなわち、共通集合）、すなわち、｛ＣＣ１，ＣＣ２｝のみを用いて伝送されることができる。換言すれば、この伝送対象データをサポートする搬送波周波数は、ＣＣ１又はＣＣ２である。
【０１３６】
例２
端末の送信搬送波周波数セットは｛ＣＣ１，ＣＣ２，ＣＣ３｝であり、伝送対象データは搬送波周波数｛ＣＣ１，ＣＣ３｝上で伝送されることが許される。第３の搬送波周波数が、端末の送信搬送波周波数の中にあり且つ伝送対象データをサポートする搬送波周波数の中で最大チャネル輻輳度を有する搬送波周波数であり、第１の条件がアクティブ化条件であり、且つ第３の搬送波周波数についてのチャネル輻輳度が第１のチャネル輻輳閾値以上である場合、第３の搬送波周波数はＣＣ３であり、０．３なるチャネル輻輳度に対応する。この場合、重複伝送を実行するための条件は満たされない。
【０１３７】
例３
第３の搬送波周波数は、ＲＲＣシグナリングを用いることによりネットワーク装置によって設定され、該ＲＲＣシグナリングは、ＳＩＢ又は専用ＲＲＣシグナリングとし得る。例えば、基地局は、専用ＲＲＣシグナリングを用いることによって第３の搬送波周波数をＣＣ２として設定し、第１の条件はアクティブ化条件であり、第３の搬送波周波数についてのチャネル輻輳度は、第１のチャネル輻輳閾値以上であり、端末は、ＣＣ２に対応するチャネル輻輳度０．６が０．５よりも大きいことを決定する。この場合、重複伝送がアクティブ化される。ＰＤＣＰ層は、送られるべき同じデータを第１の論理チャネル及び第２の論理チャネルに配信し、第１の論理チャネル上にあるデータを、第１の搬送波周波数を用いることによって送信し、第２の論理チャネル上にあるデータを、第２の搬送波周波数を用いることによって送信する必要がある。
【０１３８】
一般に、過度に低いチャネル輻輳度又は過度に高いチャネル輻輳度のいずれも、重複データ伝送に適さない。チャネル輻輳度が過度に低い場合、それは、チャネル状態が良好であって重複データ伝送は必要とされないということを指し示す。チャネル輻輳度が過度に高い場合には、それは、チャネル状態が既に非常に悪いことを指し示す。この場合に、重複データ伝送が実行されてしまうと、より多くのリソースが消費される必要があり、チャネル状態を更に悪化させることになる。従って、やはり、重複データ伝送は必要とされない。チャネル輻輳情報は、閾値又は範囲として実装され得る。
【０１３９】
チャネル輻輳度の他の具体的形態、伝送対象データをサポートする搬送波周波数を設定、取得、又は決定する手法、及び第３の搬送波周波数の実施形態について、この出願において一つずつ例を示すことはしない。
【０１４０】
なお、ネットワーク装置によって送信されるＲＲＣシグナリング又は事前設定情報は、別のアクティブ化状態のネットワークパラメータを更に含んでもよい。これは、実施形態において限定されることではない。
【０１４１】
また、留意されたいことには、代わりに、ネットワーク装置によって配信されるＲＲＣシグナリング又は事前設定情報は、ＰＤＣＰ層データを重複して伝送すべきかを端末によって決めることを容易にするために、第１の条件を直接的に含んでもよい。
【０１４２】
オプションで、第１の条件を指し示すために使用される情報は更に信頼性情報を含み得る。第１の条件を指し示すために使用される情報が信頼性情報であるとき、第１の条件は、送られるべきデータの信頼性にも関係する。
【０１４３】
具体的には、信頼性情報は、第１の信頼性閾値、第１の列挙された信頼値、及び第１の信頼性範囲のうちのいずれか１つを含む。
【０１４４】
第１の条件は、以下のうちのいずれか１つ、すなわち、
伝送対象データの信頼性が第１の信頼性閾値以上であること、
伝送対象データの信頼性が第１の列挙された信頼値に等しいことであり、列挙された値は、一群の離散値、識別子、又はインデックスとすることができ、伝送対象データの信頼性が第１の列挙された信頼値に等しいことは、伝送対象データの信頼性が第１の列挙された信頼値の中のいずれかのアイテムに等しいことを意味し、例えば、伝送対象データの信頼性が信頼性１であり、且つ第１の列挙された信頼値が｛信頼性１，信頼性５，信頼性６｝である場合、伝送対象データの信頼性は第１の列挙された信頼値に等しい、ということ、又は
伝送対象データの信頼性が第１の信頼性範囲内にあること、
のうちのいずれか１つを含む。
【０１４５】
第１の信頼性範囲が第１の信頼性範囲の境界値を含むかどうかは、この出願において限定されることではなく、例えば（Ａ１，Ｂ１）、（Ａ１，Ｂ１］、［Ａ１，Ｂ１）、及び［Ａ１，Ｂ１］などの複数の取り得る組み合わせが含まれることができ、ただし、“（”は、端の値が含まれないことを指し示し、“］”は、端の値が含まれることを指し示す。
【０１４６】
信頼性情報は、例えば９９．９９％又は９９．９９９％といった、信頼度を反映する具体的な値とし得る。あるいは、信頼性情報は、信頼度を反映する相対値である。例えば、信頼性情報は、高い信頼性、中間の信頼性、又は低い信頼性であってもよい。確かなことには、複数の異なる信頼度に基づく分類を通じて、より多くのレベルを得られてもよい。これは、この出願において限定されることではない。
【０１４７】
この出願において、信頼性情報は、以下に限られないが、信頼性情報を指す又は指し示すために使用される識別子、インデックス、又は他の情報とし得る。信頼性情報が第１の信頼性閾値であることは、一例として使用されている。第１の信頼性閾値は、識別子、インデックス、又は第１の信頼性閾値それ自体を用いることによって表され得る。
【０１４８】
特定の実装において、データの信頼性の程度／レベル又は重要性の程度／レベルを表すために、複数の異なる識別子が使用され得る。例えば、信頼性情報は、信頼度を反映する相対値である。１が高い信頼性を表し、２が中間の信頼性を表し、３が低い信頼性を表し、あるいは逆に、１が低い信頼性を表し、２が中間の信頼性を表し、３が高い信頼性を表す。
【０１４９】
また、信頼性情報は、例えばＳＩＢメッセージ又は専用ＲＲＣシグナリングなどのＲＲＣシグナリングにて搬送されてもよいし、ネットワーク装置によって端末に送信されてもよいし、あるいはＭＡＣ  ＣＥ又はＤＣＩいて搬送されてもよい。
【０１５０】
さらに、信頼性情報がＭＡＣ  ＣＥにて搬送されるとき、信頼性情報は、ビットマップ（bitmap）を用いることによって具現化され得る。ビットマップ内の異なるビットが、異なる信頼性／重要性レベル又は信頼性範囲を表し、対応するビットの異なる値が、重複データ伝送を実行すべきかを表す。例えば、対応するビットの異なる値が、重複データ伝送をアクティブ化すべきかを表す。
【０１５１】
例えば、データに対応する信頼性は、低い信頼性、中間の信頼性、高い信頼性という３つのレベルに分類される。異なる信頼性レベルは、固定ビットを用いることによって表される。表１に示されるように、ビットマップ内で、各ビットが順に、信頼性の昇順で１つの信頼性レベルに対応しているとし得る。確かなことには、それに代えて、各ビットは順に、信頼性の降順で１つの信頼性レベルに対応していてもよい。ここで詳細を説明することはしない。
【表１】
2021513276.tif 000003
【０１５２】
ビットが第１の値であるとき、端末は、その信頼性が該ビットに対応する伝送対象データの重複伝送をアクティブ化するように指示され得る。ビットが第２の値であるとき、端末は、その信頼性が該ビットに対応する伝送対象データの重複伝送を非アクティブ化するように指示され得る。例えば、第１の値が１であるとき、第２の値は０であり得る。
【０１５３】
表１に示したビットマップの形態を例として用いるに、下の表２に示すように、信頼性情報がビットマップにて担持される。
【表２】
2021513276.tif 000004
【０１５４】
信頼性情報は、送られるべきデータを高い信頼性で重複して伝送するように端末をアクティブ化するために使用される。具体的には、端末のＰＤＣＰ層における送られるべきデータが高い信頼性に対応するとき、端末は、ＰＤＣＰ層における送られるべきデータを２つの異なる論理チャネルに配信し、それら送られるべきデータを、異なる搬送波周波数を用いることによって送信する。
【０１５５】
また、高い信頼性、中間の信頼性、及び低い信頼性は、異なる信頼値に対応してもよい。例えば、高い信頼性に対応するデータの信頼性は９９．９９９％よりも高い。
【０１５６】
また、ビットマップ内のビットは代わりに、表３に示すように、信頼性範囲を特定するために使用されてもよい。境界値が含まれるかは、この出願において限定されることではない。
【表３】
2021513276.tif 000005
【０１５７】
具体的に、表３に示すビットマップの形態を一例として使用する。信頼性情報が表３に示すようなビットマップにて担持される場合、信頼性情報を用いて、その信頼性が９９．９９−９９．９９９％の範囲内にある送られるべきデータを重複して伝送するように端末をアクティブ化する。具体的には、端末は、ＰＤＣＰ層にあってその信頼性が９９．９９−９９．９９９％の範囲内にある送られるべきデータを、２つの異なる論理チャネルに配信し、それら送られるべきデータを異なる搬送波周波数を用いて送信する。
【０１５８】
オプションで、信頼性範囲は代わりに暗示的であってもよい。図３に示す信頼性範囲はまた、表４によって表されてもよい。表４を参照すると、ビットマップ内の最後のビットによって指し示される意味は、９９．０−９９．９％とし得る。
【表４】
2021513276.tif 000006
【０１５９】
第１の条件が満たされていることを検出すると、端末は、前述のステップ１０３を実行する。逆に、第１の条件が満たされない場合、ＰＤＣＰ層にあるデータを２つの異なる論理チャネルに別々に配信する動作はトリガーされない。
【０１６０】
例えば、第１の条件はアクティブ化条件であり、ＲＲＣシグナリングを用いてネットワーク装置によって設定された信頼性情報は、高い信頼性又は高い重要性を指し示す１である。端末の送られるべきデータに対応する信頼性が高い信頼性又は高い重要性であるとき、重複データ伝送がアクティブにされる。ＰＤＣＰ層は、送られるべきデータを２つの異なる論理チャネルに配信する。
【０１６１】
例えば、第１の条件はアクティブ化条件であり、ＲＲＣシグナリングを用いてネットワーク装置によって設定された信頼性情報は第１の信頼性閾値９９．９９％である。端末側の送られるべきデータに対応する信頼性が、第１の信頼性閾値よりも大きいものである９９．９９９％である場合、重複データ伝送がアクティブにされる。ＰＤＣＰ層は、送られるべきデータを２つの異なる論理チャネルに配信する。
【０１６２】
例えば、第１の条件はアクティブ化条件であり、ＲＲＣシグナリングを用いてネットワーク装置によって設定された信頼性情報は、高い信頼性を指し示す１であり、且つ高い信頼性に対応するデータ信頼性は９．９９９％超である。端末側の送られるべきデータに対応する信頼性が、第１の信頼性閾値よりも大きいものである９９．９９９９％である場合、重複データ伝送がアクティブにされる。ＰＤＣＰ層は、送られるべきデータを２つの異なる論理チャネルに配信する。
【０１６３】
オプションで、重複データ伝送が実行される前に、すなわち、従来のデータ伝送が実行されるときに、第１の搬送波周波数が端末に既に利用可能であってもよく、端末は、第１の搬送波周波数を用いることによって、第１の論理チャネル上にあるデータを送信する。あるいは、第１の搬送波周波数セットが端末に既に利用可能であってもよく、端末は、第１の搬送波周波数セット内の第１の搬送波周波数を用いることによって、第１の論理チャネル上にあるデータを送信する。
【０１６４】
また、端末は更に、例えば第１の信頼性といったデータ信頼性と、該第１の信頼性と対応関係を持つ第１の論理チャネルとに基づいて、伝送に使用されるものである第１の搬送波周波数を決定してもよい。対応関係は、明示的なものであってもよいし、暗示的なものであってもよい。
【０１６５】
例えば、基地局が、専用ＲＲＣシグナリングを用いることによって、端末の信頼性識別子と論理チャネルとの間の対応関係を設定する。例えば、第１の信頼性識別子１は論理チャネル識別子１（ＬＣＩＤ１）に対応し、第１の信頼性識別子２は論理チャネル識別子２（ＬＣＩＤ２）に対応する。重複伝送が実行される前に、すなわち、従来のデータ伝送が実行されるときに、単一の論理チャネルのみに単一ピースのデータが配信される。データ１に対応する第１のデータ信頼性が第１の信頼性識別子１である場合、端末は、第１のデータを第１の論理チャネルに配信し、第１の搬送波周波数を用いることによって該第１のデータを送信する。論理チャネル識別子１は、第１の論理チャネルを指し示すことができる。理解され得ることには、代わりに、複数の異なる信頼性識別子が１つのＬＣＩＤに対応してもよい。
【０１６６】
実現可能な一実装において、端末が第１の搬送波周波数及び第２の搬送波周波数を決定することは、これに限られないが、ＲＲＣ層によって第１の搬送波周波数及び第２の搬送波周波数を決定することとし得る。ＲＲＣ層は、２つの論理チャネル上にあるデータを送るために使用される異なる搬送波周波数を決定することができ、すなわち、第１の搬送波周波数及び第２の搬送波周波数を決定することができる。具体的には、この出願はこれに限定されるものではないが、決定するために以下の手法が使用され得る。
【０１６７】
具体的に、第１の条件はアクティブ化条件である。第１の条件を指し示すために使用される情報が、第１のチャネル輻輳閾値０．６及び第１の信頼性閾値９９．９９％を含み、端末の送信搬送波周波数セットが｛ＣＣ１，ＣＣ２，ＣＣ３｝であり、これら送信搬送波周波数に対応するチャネル輻輳度が、それぞれ、｛０．２，０．６，０．３｝であり、且つ第３の搬送波周波数は、これら送信搬送波周波数の中で最大のチャネル輻輳度を持つ搬送波周波数である。この場合、第３の搬送波周波数はＣＣ２である。第３の搬送波周波数に対応するチャネル輻輳度０．６が第１のチャネル輻輳閾値０．５よりも大きく、且つ端末の送られるべきデータに対応する信頼性が第１の信頼性閾値９９．９９％よりも大きいものである９９．９９９％であるので、重複データ伝送がアクティブにされる。ＰＤＣＰ層は、送られるべきデータを２つの異なる論理チャネルに別々に配信する。
【０１６８】
取り得る一実装において、ネットワーク装置によって配信されるシグナリングを用いることによって、端末が第１の搬送波周波数及び第２の搬送波周波数を決定する。具体的には、ネットワーク装置によって端末に送信されるＲＲＣシグナリング又は事前設定情報が少なくとも２つの搬送波周波数識別子を含む場合、端末が第１の搬送波周波数及び第２の搬送波周波数を決定する。
【０１６９】
オプションで、ネットワーク装置によって端末に送信されるＲＲＣシグナリング又は事前設定情報は、第３の搬送波周波数セットを指し示すために使用される情報を含む。例えば、ＲＲＣシグナリング又は事前設定情報は、ネットワーク装置によって設定又は事前設定されてサイドリンク通信に使用され得る複数の搬送波周波数を指す複数の搬送波周波数識別子を含む。端末は、第３の搬送波周波数セットに基づいて第１の搬送波周波数及び第２の搬送波周波数を決定し、第１の搬送波周波数及び第２の搬送波周波数は第３の搬送波周波数セットに属する。理解され得ることには、第３の搬送波周波数セットは代わりに事前設定されてもよい。
【０１７０】
あるいは、端末は、第３の搬送波周波数セットに基づいて第１の搬送波周波数セット及び第２の搬送波周波数セットを決定し、第１の搬送波周波数セット及び第２の搬送波周波数セット内の搬送波周波数は全て、第３の搬送波周波数セットに属し、第１の搬送波周波数セット内の要素は第２の搬送波周波数セット内の素子とは異なる。
【０１７１】
端末は、第１の搬送波周波数セットから第１の搬送波周波数を選択し、且つ第２の搬送波周波数セットから第２の搬送波周波数を選択する。第１の搬送波周波数セットから第１の搬送波周波数を選択し、且つ第２の搬送波周波数セットから第２の搬送波周波数を選択することは、端末のＲＲＣ層に実装されてもよいし、ＭＡＣ層に実装されてもよい。
【０１７２】
他の取り得る一実装において、伝送対象データはデータ属性を持ち、データ属性は、第３の搬送波周波数セット内の搬送波周波数に対応し、対応関係は、暗示的なものであってもよいし、明示的なものであってもよい。データ属性は、優先度、信頼性、遅延、宛先アドレス、及びサービスタイプのうちの１つ又は組み合わせを含み得る。
【０１７３】
データ属性は、以下に限られないが、識別子、インデックス、又は他のポインティング若しくは指示情報とし得る。例えば、データ属性は信頼性である。信頼性は、信頼性識別子、信頼性インデックス、又は信頼性それ自体とし得る。
【０１７４】
ネットワーク装置から第３の搬送波周波数セットを指し示すために使用される情報を受信した後、端末は、伝送対象データのデータ属性に基づいて第４の搬送波周波数セットを決定する。例えば、第４の搬送波周波数セットは、伝送対象データに適した利用可能な全ての搬送波周波数リソースを含み得る。理解され得ることには、端末は必ずしも全ての利用可能な搬送波周波数リソースを使用する必要があるわけではない。端末の能力（例えば、送信チェーン能力）又は別の制約（伝送対象データパケットによってサポートされる搬送波周波数、又はこれに類するもの）に従って、端末は、ある期間において、又は単一の情報送信において、第４の搬送波周波数セット内の一部の搬送波周波数のみを使用し得る。端末は、第４の搬送波周波数セットに基づいて第１の搬送波周波数セット及び第２の搬送波周波数セットを決定し、あるいは、第４の搬送波周波数セットに基づいて直接的に第１の搬送波周波数及び第２の搬送波周波数を決定する。
【０１７５】
なお、第３の搬送波周波数セットは、第４の搬送波周波数セットと同じであってもよいし、異なってもよい。これは、この出願において限定されることではない。
【０１７６】
例えば、伝送対象データの優先度は１であり、基地局は、搬送波周波数セットを指し示すために使用される情報を、優先度と搬送波周波数セットとの間の対応関係として設定する。２つの優先度が存在する場合、その優先度が１であるデータは搬送波周波数セット｛ＣＣ１，ＣＣ２，ＣＣ３，ＣＣ４｝と対応関係を持ち、ＣＣ１、ＣＣ２、ＣＣ３、及びＣＣ４は４つの異なる搬送波周波数を表し、その優先度が２であるデータは搬送波周波数セット｛ＣＣ２，ＣＣ３，ＣＣ５，ＣＣ６｝と対応関係を持つ。前述の対応関係を受信した後、端末は、伝送対象データの優先度に基づいて、伝送対象データに対応するトータルの利用可能な搬送波周波数リソースを決定し得る。伝送対象データの優先度が１であると決定されたとき、対応する第４の搬送波周波数セットは｛ＣＣ１，ＣＣ２，ＣＣ３，ＣＣ４｝である。
【０１７７】
優先度と第３の搬送波周波数セット内の搬送波周波数との間の対応関係は、暗示的なものであってもよいし、明示的なものであってもよく、あるいは、複数の他の実施形態を有してもよい。例えば、各搬送波周波数の設定情報が、その搬送波周波数に対応する優先度を搬送する。例えば、搬送波周波数ＣＣ１の設定情報は、｛搬送波周波数１の識別子，優先度１の識別子｝を含み、搬送波周波数ＣＣ２の設定情報は、｛搬送波周波数２の識別子，優先度１の識別子｝を含む。この形態は、搬送波周波数１及び搬送波周波数２の双方が、その優先度が１である伝送対象データをサポートすることを指し示し得る。伝送対象データの優先度が１である場合、第４の搬送波周波数セットは｛ＣＣ１，ＣＣ２｝である。確かなことには、第４の搬送波周波数セットは、１つの搬送波周波数のみを含んでもよい。
【０１７８】
例えば、伝送対象データの第１のデータ属性は、優先度１及び宛先アドレス１を含む。基地局は、データ優先度１が搬送波周波数セット｛ＣＣ１，ＣＣ２，ＣＣ３，ＣＣ４｝と対応関係を持つと設定し、ＣＣ１、ＣＣ２、ＣＣ３、及びＣＣ４は４つの異なる搬送波周波数を表し、また、データ優先度２が搬送波周波数セット｛ＣＣ２，ＣＣ３，ＣＣ５，ＣＣ６｝と対応関係を持つと設定する。加えて、基地局は、宛先アドレス１が搬送波周波数セット｛ＣＣ１，ＣＣ２｝と対応関係を持つと設定し、宛先アドレス２が搬送波周波数セット｛ＣＣ３，ＣＣ４｝と対応関係を持つと設定する。前述の対応関係を受信した後、端末は、伝送対象データの優先度及び宛先アドレスに基づいて、伝送対象データに対応するトータルの利用可能な搬送波周波数リソースを決定し得る。伝送対象データに対応する優先度が１であり且つ伝送対象データに対応する宛先アドレスが１であると決定されたとき、対応する第４の搬送波周波数セットは｛ＣＣ１，ＣＣ２｝である。
【０１７９】
同様に、データ属性が、第１の信頼性、第１の遅延、第１の宛先アドレス、及び第１のサービスタイプのうちのいずれか１つ又は組み合わせであるとき、端末はまた、搬送波周波数セットを指し示すための情報に基づいて、現在の伝送対象データによってサポートされる搬送波周波数セットを決定し得る。次いで、端末は、その搬送波周波数セットに基づいて第１の搬送波周波数セット及び第２の搬送波周波数セットを決定し、あるいは、その搬送波周波数セットに基づいて直接的に第１の搬送波周波数及び第２の搬送波周波数を選択する。第１の搬送波周波数セット内の搬送波周波数及び第２の搬送波周波数セット内の搬送波周波数は、全て、第４の搬送波周波数セットに属する。
【０１８０】
他の取り得る一実装において、伝送対象データはデータ属性を持ち、そのデータ属性は、第１の搬送波周波数セット内のある搬送波周波数及び第２の搬送波周波数セット内のある搬送波周波数に対応し、この対応関係は、暗示的なものであってもよいし、明示的なものであってもよい。データ属性は、優先度、信頼性、遅延、宛先アドレス、及びサービスタイプのうちの１つ又は組み合わせを含み得る。
【０１８１】
データ属性は、以下に限られないが、識別子、インデックス、又は他のポインティング若しくは指示情報とし得る。例えば、データ属性は信頼性である。信頼性は、信頼性識別子、信頼性インデックス、又は信頼性それ自体とし得る。
【０１８２】
端末は、ネットワーク装置から情報を受信し、該情報は、第１の搬送波周波数セット及び第２の搬送波周波数セットを指し示すために使用される情報と、第１の搬送波周波数セット及び第２の搬送波周波数セットに対応するデータ属性を指し示すために使用される情報とを含む。端末は、伝送対象データのデータ属性に基づいて第１の搬送波周波数セット及び第２の搬送波周波数セットを決定し、あるいは、伝送対象データのデータ属性に基づいて直接的に第１の搬送波周波数及び第２の搬送波周波数を決定する。この情報は、ＲＲＣシグナリング又は事前設定されたメッセージにて搬送され得る。
【０１８３】
例えば、ネットワーク装置によって送信される専用ＲＲＣシグナリングが、｛第１の宛先アドレス識別子，ＣＣ１，ＣＣ２｝及び｛第２の宛先アドレス識別子，ＣＣ３，ＣＣ４｝を含む。
【０１８４】
端末の送られるべきデータに対応する宛先アドレスは第１の宛先アドレスである。端末は、専用ＲＲＣシグナリングに基づいて、第１の搬送波周波数がＣＣ１であり、第２の搬送波周波数がＣＣ２であることを決定することができ、ＣＣ１は第１の搬送波周波数を指すことができ、ＣＣ２は第２の搬送波周波数を指すことができる。
【０１８５】
他の一例では、ネットワーク装置によって送信されるＳＩＢメッセージが、｛第１の宛先アドレス識別子，｛ＣＣ１，ＣＣ２｝，｛ＣＣ３，ＣＣ４｝｝及び｛第２の宛先アドレス識別子，ＣＣ３，ＣＣ４｝を含む。
【０１８６】
端末の送られるべきデータに対応する宛先アドレスが第１の宛先アドレスである場合、端末は、専用ＲＲＣシグナリングに基づいて、第１の搬送波周波数セットが｛ＣＣ１，ＣＣ２｝であり、第２の搬送波周波数セットが｛ＣＣ３，ＣＣ４｝であると決定する。
【０１８７】
他の一例では、ネットワーク装置によって送信される専用ＲＲＣシグナリングが、｛第１の宛先アドレス識別子，第１の信頼性識別子，ＣＣ１，ＣＣ２｝及び｛第２の宛先アドレス識別子，第１の信頼性識別子，ＣＣ３，ＣＣ４｝を含む。
【０１８８】
端末の送られるべきデータに対応する宛先アドレスが第１の宛先アドレスであり、且つ送られるべきデータに対応する信頼性が第１の信頼性である場合、端末は、専用ＲＲＣシグナリングに基づいて、第１の搬送波周波数がＣＣ１であり、第２の搬送波周波数がＣＣ２であると決定し、ＣＣ１は第１の搬送波周波数を指すことができ、ＣＣ２は第２の搬送波周波数を指すことができる。
【０１８９】
他の一例では、ネットワーク装置によって送信される専用ＲＲＣシグナリングが、｛第１の宛先アドレス識別子，第１の信頼性識別子，｛ＣＣ１，ＣＣ２｝，｛ＣＣ３，ＣＣ４｝｝及び｛第２の宛先アドレス識別子，第１の信頼性識別子，ＣＣ３，ＣＣ４｝を含む。
【０１９０】
端末の送られるべきデータに対応する宛先アドレスが第１の宛先アドレスであり、且つ送られるべきデータに対応する信頼性が第１の信頼性である場合、端末は、専用ＲＲＣシグナリングに基づいて、第１の搬送波周波数セットが｛ＣＣ１，ＣＣ２｝であり、第２の搬送波周波数セットが｛ＣＣ３，ＣＣ４｝であると決定する。
【０１９１】
なお、端末の現在の送信搬送波周波数が第１の搬送波周波数又は第２の搬送波周波数を含まない場合、端末は、第１の搬送波周波数を用いることによって第１の論理チャネル上にあるデータを送信し、第２の搬送波周波数を用いることによって第２の論理チャネル上にあるデータを送信するために、搬送波選択又は搬送波再選択を行い得る。これは、本発明において限定されることではない。
【０１９２】
この実施形態にて提供されるデータ伝送方法によれば、重複データ伝送をアクティブ化する条件が満たされるとき、端末は、サイドリンク上で、第１の論理チャネル上にあるデータ及び第２の論理チャネル上にあるデータを、異なる搬送波周波数を用いることによって送信する。斯くして、サイドリンク上で、相異なる搬送波周波数を用いることによって同じデータパケットが２つの論理チャネル上で送られ、そして、受信装置が、重複した同じデータパケットを受信することができ、それにより、データ伝送の信頼性が改善される。
【０１９３】
また、第１の搬送波周波数及び第２の搬送波周波数は、端末のＲＲＣ層によって決定されてもよいし、あるいは端末のＭＡＣ層によって決定されてもよい。
【０１９４】
例えば、重複データ伝送がアクティブにされた後、ＰＤＣＰ層が、送られるべき同じデータを第１の論理チャネル及び第２の論理チャネルに配信するが、ＲＲＣ層は、重複データ伝送に使用される第１の論理チャネル及び第２の論理チャネルのＭＡＣ層に通知しないとしてもよい。従って、ＭＡＣ層は、重複伝送に使用される２つの論理チャネル、すなわち、第１の論理チャネル及び第２の論理チャネルを決定する必要がある。また、ＭＡＣ層は更に、複数の論理チャネルを維持管理し得る。
【０１９５】
具体的には、ＭＡＣ層によって論理チャネルを決定する方法は、以下の幾つかの取り得る実装を含む。
【０１９６】
取り得る一実装において、ＭＡＣ層は、各論理チャネルのデータ属性に基づいて、第１の論理チャネル及び第２の論理チャネルを決定する。データ属性は、優先度、宛先アドレス、遅延、サービスタイプ、及び信頼性のうちの１つ又は組み合わせとし得る。
【０１９７】
理解され得ることには、第１の論理チャネル及び第２の論理チャネルは、送られるべき同じデータを含み、データに対応するデータ属性は同じである。例えば、データ属性は、優先度及び宛先アドレスを含み、伝送対象データは、第１の優先度及び第１の宛先アドレスを有する。従って、第１の論理チャネルに対応するデータ属性及び第２の論理チャネルに対応するデータ属性は同じである。具体的には、第１の論理チャネル及び第２の論理チャネルに対応する双方の優先度が第１の優先度であり、第１の論理チャネル及び第２の論理チャネルに対応する双方の宛先アドレスが第１の宛先アドレスである。第１の論理チャネル及び第２の論理チャネルは、論理チャネルについてのデータ属性が同じであるかを検出することによって決定され得る。
【０１９８】
さらに、論理チャネルについてのデータ属性が同じであるかを検出する前に、端末は更に、論理チャネルについてのデータ属性に関する情報を取得する必要がある。
【０１９９】
ＭＡＣ層は、２つの論理チャネルについての識別情報又はデータ属性が同じであるかを検出する。識別情報又はデータ属性が同じである場合、それは、重複データ伝送に使用される２つの論理チャネルが既に存在することを指し示す。この場合、重複データ伝送が実行され得る。
【０２００】
オプションで、ＭＡＣ層は、各論理チャネルについてのデータ属性を検出することによって、第１の論理チャネル及び第２の論理チャネルを予備的に決定する。加えて、ＭＡＣ層は更に、ＰＤＣＰ層で重複データ伝送が行われたかを判定するために、第１の論理チャネル上及び／又は第２の論理チャネル上に伝送対象データが存在するかを判定する必要がある。ＭＡＣ層が、それら論理チャネルの双方上に伝送対象データが存在し、且つ第１の論理チャネル及び第２の論理チャネルについてのデータ属性が同じであることを検出した場合、それは、ＰＤＣＰ層における重複データ伝送がアクティブにされている、すなわち、同じＰＤＣＰ層における伝送対象データが２つの論理チャネルに配信されることを指し示す。
【０２０１】
例えば、それぞれ論理チャネル１、論理チャネル２、及び論理チャネル３として参照される３つの論理チャネルがＭＡＣ層に存在する。論理チャネル１、２、及び３に対応するデータ属性（例えば、データ優先度）は、それぞれ、優先度１、優先度２、及び優先度１である。論理チャネル１及び３についてのデータ属性が同じ（どちらも優先度１）であるため、論理チャネル１及び論理チャネル３が重複データ伝送に使用される論理チャネルであると決定される。
【０２０２】
また、端末は更に、第１の論理チャネル及び第２の論理チャネルを指し示すために、又はＰＤＣＰ層における重複伝送がアクティブにされていることを指し示すために、ＲＲＣ層を介してＭＡＣ層に指示情報を送信し得る。
【０２０３】
オプションで、論理チャネルが確立されたときに、各論理チャネルと各論理チャネルに対応するデータ属性との間に対応関係が確立されてもよい。論理チャネルに対応するデータ属性は、論理チャネル上のデータに関係する。論理チャネルに対応するデータ属性は、論理チャネル上のデータに対応するデータ属性と等価であってもよい。
【０２０４】
他の一実装では、第１の論理チャネルのＩＤ（Identity）と第２の論理チャネルのＩＤとの間に、対応関係が存在し、あるいはペアリング関係が存在することができ、これらの論理チャネルの双方上で重複データ伝送が実行される。対応関係は、ＲＲＣシグナリングを用いることにより基地局によって設定又は事前設定されてもよいし、あるいは、プロトコルにて規定されてもよい。この場合、ＭＡＣ層は、論理チャネルのＩＤが対応関係を満たすかに応じて第１の論理チャネル及び第２の論理チャネルを決定する。
【０２０５】
なお、対応関係は、２つの論理チャネルの論理チャネルＩＤ間の演算関係を用いることによって表されることができ、あるいは、特定の対応関係を用いることによって表されることができる。この出願において、論理チャネル識別子は論理チャネルＩＤとし得る。
【０２０６】
例えば、重複伝送用の論理チャネルは、例えば、第２の論理チャネルのＩＤと第１の論理チャネルのＩＤとの間の差又はそれらの和がプリセット値を満たすことといった、対応関係を満たす。差がプリセット値を満たすことを例として使用する。例えば、ＬＣＩＤ２−ＬＣＩＤ１＝Ｍであり、ただし、ＬＣＩＤ２は第２の論理チャネルのＩＤ（Identity）を表し、ＬＣＩＤ１は第１の論理チャネルのＩＤを表し、Ｍはプリセット値であり且つ正の整数である。あるいは、２つの論理チャネル間の対応関係は、例えば｛論理チャネル１，論理チャネル１１｝及び｛論理チャネル２，論理チャネル１２｝など、明示的に表される。
【０２０７】
例えば、論理チャネル１と論理チャネル１１との間に対応関係が存在し、論理チャネル２と論理チャネル１２との間に対応関係が存在する。Ｍは１０に等しいとして、これらの対応関係の双方が、第２の論理チャネルのＩＤ−第１の論理チャネルのＩＤ＝Ｍを満たしている。重複データ伝送が実行されないときには、端末によって使用される論理チャネルのＩＤは１から１０である。
【０２０８】
ＬＣＩＤ１及び１１を持つ論理チャネルが存在することを端末が検出するとき、それは、重複データ伝送に使用される２つの論理チャネルが既に存在することを指し示す。この場合、重複データ伝送が実行されることができ、あるいは、重複データ伝送がトリガーされると決定されることができる。具体的には、同じデータパケットが２つの異なる論理チャネルに配信されることになる。端末は、論理チャネル１の論理チャネルＩＤと論理チャネル１１の論理チャネルＩＤとの間の対応関係に基づいて、論理チャネル１が論理チャネル１１に合致する論理チャネルであると判定することで、第１の論理チャネルが論理チャネル１であり、第２の論理チャネルが論理チャネル１１であると決定し得る。
【０２０９】
他のオプションの一実装では、ＭＡＣ層は、論理チャネルのＩＤ間の対応関係を使用することによって、第１の論理チャネル及び第２の論理チャネルを予備的に決定する。加えて、ＭＡＣ層は更に、ＰＤＣＰ層における重複データ伝送が行われたかを判定するために、第１の論理チャネル及び／又は第２の論理チャネル上に伝送対象データが存在するかを判定する必要がある。ＭＡＣ層が、これらの論理チャネルの双方上に伝送対象データが存在し、且つ第１の論理チャネル及び第２の論理チャネルのＩＤが対応関係を満たすことを検出した場合、それは、ＰＤＣＰ層における重複データ伝送がアクティブにされていること、すなわち、同じＰＤＣＰ層における伝送対象データが２つの論理チャネルに配信されることを指し示す。
【０２１０】
端末が、ＬＣＩＤ１及び１１を持つ論理チャネルが存在することを検出し、且つ端末が、ＬＣＩＤ１１を持つ論理チャネル上にデータが存在すると判定したとき、重複データ伝送がトリガーされていると判定され得る。具体的には、同じデータパケットが２つの異なる論理チャネルに配信されている。
【０２１１】
あるいは、第１の搬送波周波数及び第２の搬送波周波数は、端末のＭＡＣ層によって決定されてもよい。その決定方法は、以下に限られないが、具体的に以下のとおりである。
【０２１２】
ＭＡＣ層は、ＲＲＣ層によって配信されて第３の搬送波周波数セットを指し示すために使用される又は第４の搬送波周波数セットを指し示すために使用される情報を受信し、次いで、第３の搬送波周波数セット又は第４の搬送波周波数セットに基づいて第１の搬送波周波数及び第２の搬送波周波数を決定する。特定の一方法は、ＲＲＣ層によって第１の搬送波周波数及び第２の搬送波周波数を決定する方法と同じであり、詳細をここで再び説明することはしない。理解され得ることには、第１の搬送波周波数及び第２の搬送波周波数は、代わりに、それぞれ第１の搬送波周波数セット及び第２の搬送波周波数セットからであってもよく、第１の搬送波周波数セットは、第２の搬送波周波数セットに対して直交である。特定の一方法は、ＲＲＣ層によって第１の搬送波周波数セット及び第２の搬送波周波数セットを決定する方法と同じであり、詳細をここで再び説明することはしない。
【０２１３】
なお、ＭＡＣ層によって第１の論理チャネル及び第２の論理チャネルを決定することと、ＭＡＣ層によって第１の搬送波周波数及び第２の搬送波周波数を決定することとの時間シーケンスは、この出願において限定されることではない。
【０２１４】
また、前述の実施形態における方法は更に、第２の条件が満たされるときに、端末のＰＤＣＰ層により、伝送対象データを第１の論理チャネル及び第２の論理チャネルに配信することを停止することを含む。
【０２１５】
さらに、このプロセスは、端末により、第２の条件を指し示すために使用される情報を取得し、第２の条件が満たされるときに、サイドリンク上で端末により第１の搬送波周波数を用いることによって第１の論理チャネル上にある伝送対象データを送信し且つ第２の搬送波周波数を用いることによって第２の論理チャネル上にある伝送対象データを送信することを、停止させることを含む。
【０２１６】
第２の条件を指し示すために使用される情報は、第３のチャネル輻輳閾値、第４のチャネル輻輳閾値、及び第２のチャネル輻輳範囲のうちのいずれか１つを含む。
【０２１７】
第２の条件は、
第４の搬送波周波数についてのチャネル輻輳度が前記第３のチャネル輻輳閾値以上であること、
第４の搬送波周波数についてのチャネル輻輳度が前記第４のチャネル輻輳閾値以下であること、又は
第４の搬送波周波数についてのチャネル輻輳度が前記第２のチャネル輻輳範囲内にあること、を含む。
【０２１８】
第４の搬送波周波数は、ＲＲＣシグナリングを用いることによりネットワーク装置によって設定又は事前設定されることができ、第４の搬送波周波数は、端末の送信搬送波周波数のうちのいずれか１つとすることができ、第４の搬送波周波数は、端末の送信搬送波周波数の中で最小のチャネル輻輳度を持つ送信搬送波周波数とすることができ、第４の搬送波周波数は、端末の送信搬送波周波数の中で最大のチャネル輻輳度を持つ送信搬送波周波数とすることができ、第４の搬送波周波数は、端末の送信搬送波周波数の中にあって伝送対象データパケットをサポートする送信搬送波周波数のうちのいずれか１つとすることができ、第４の搬送波周波数は、端末の送信搬送波周波数の中にあって伝送対象データパケットをサポートする搬送波周波数の中で最小のチャネル輻輳度を持つ搬送波周波数とすることができ、あるいは、第４の搬送波周波数は、端末の送信搬送波周波数の中にあって伝送対象データパケットをサポートする搬送波周波数の中で最大のチャネル輻輳度を持つ搬送波周波数とすることができる。
【０２１９】
オプションで、第４の搬送波周波数は、第１の搬送波周波数セット又は第２の搬送波周波数セットの中の搬送波周波数である。さらに、第１の搬送波周波数セットは第１の論理チャネルに対応し、第２の搬送波周波数セットは第２の論理チャネルに対応する。第４の搬送波周波数は、第３の搬送波周波数と同じであってもよいし、異なってもよい。
【０２２０】
オプションで、第４の搬送波周波数は、第１の搬送波周波数セットに属する端末の送信搬送波周波数のうちのいずれか１つとすることができ、第４の搬送波周波数は、第１の搬送波周波数セットに属する端末の送信搬送波周波数の中で最小のチャネル輻輳度を持つ送信搬送波周波数とすることができ、第４の搬送波周波数は、第１の搬送波周波数セットに属する端末の送信搬送波周波数の中で最大のチャネル輻輳度を持つ送信搬送波周波数とすることができ、第４の搬送波周波数は、伝送対象データパケットをサポートし且つ第１の搬送波周波数セットに属する端末の送信搬送波周波数の中にある送信搬送波周波数のうちのいずれか１つとすることができ、第４の搬送波周波数は、伝送対象データパケットをサポートし且つ第１の搬送波周波数セットに属する端末の送信搬送波周波数の中にある搬送波周波数の中で最小のチャネル輻輳度を持つ搬送波周波数とすることができ、あるいは、第４の搬送波周波数は、伝送対象データパケットをサポートし且つ第１の搬送波周波数セットに属する端末の送信搬送波周波数の中にある搬送波周波数の中で最大のチャネル輻輳度を持つ搬送波周波数とすることができる。
【０２２１】
あるいは、第４の搬送波周波数は、第２の搬送波周波数セットに属する端末の送信搬送波周波数のうちのいずれか１つとすることができ、第４の搬送波周波数は、第２の搬送波周波数セットに属する端末の送信搬送波周波数の中で最小のチャネル輻輳度を持つ送信搬送波周波数とすることができ、第４の搬送波周波数は、第２の搬送波周波数セットに属する端末の送信搬送波周波数の中で最大のチャネル輻輳度を持つ送信搬送波周波数とすることができ、第４の搬送波周波数は、伝送対象データパケットをサポートし且つ第２の搬送波周波数セットに属する端末の送信搬送波周波数の中にある送信搬送波周波数のうちのいずれか１つとすることができ、第４の搬送波周波数は、伝送対象データパケットをサポートし且つ第２の搬送波周波数セットに属する端末の送信搬送波周波数の中にある搬送波周波数の中で最小のチャネル輻輳度を持つ搬送波周波数とすることができ、あるいは、第４の搬送波周波数は、伝送対象データパケットをサポートし且つ第２の搬送波周波数セットに属する端末の送信搬送波周波数の中にある搬送波周波数の中で最大のチャネル輻輳度を持つ搬送波周波数とすることができる。
【０２２２】
この実施形態において、端末が第２の条件を満たすときに、端末は、ネットワークリソースを節約するために、ＰＤＣＰエンティティ内にある伝送対象データを第１の論理チャネル及び第２の論理チャネルに送信することを停止させる。
【０２２３】
オプションで、第２の条件は非アクティブ化条件とし得る。
【０２２４】
この出願の他の一実施形態において、データ伝送方法が更に提供される。この方法では、ネットワーク装置がサイドリンクデータの伝送用のリソースをより良好にスケジュールすることができるように、端末が当該端末のサイドリンクデータの信頼性をネットワーク装置に報告する。
【０２２５】
図４に示すように、この方法は、以下のステップを含み得る。
【０２２６】
ステップ２０１：端末が、ネットワーク装置から設定情報を取得し、該設定情報は、第１の識別子に対応する信頼性情報を含む。
【０２２７】
オプションで、設定情報は更に第１の識別子を含む。第１の識別子は、第１の論理チャネルグループ識別子、第１の宛先アドレス識別子、又は、第１の論理チャネルグループ識別子と第１の宛先アドレス識別子、を含む。
【０２２８】
具体的には、端末は、以下のような複数の手法で設定情報を取得し得る。
【０２２９】
取り得る一手法において、端末は、ＲＲＣシグナリングを用いることによって設定情報を取得し、該ＲＲＣシグナリングは、ＳＩＢメッセージ又は専用ＲＲＣシグナリングとし得る。端末は、ＲＲＣシグナリングを受信し、第１の識別子に対応する信頼性情報を取得する。
【０２３０】
他の取り得る一手法において、端末は、設定情報を搬送し且つネットワーク装置によって送信されるデータパケットを使用することによって、設定情報を取得する。例えば、設定情報は、ＭＡＣ制御エレメント（control  element）（略して“ＭＡＣ  ＣＥ”）に含められ得る。データパケットを受信した後、端末は、第１の識別子、信頼性情報、及び第１の識別子と信頼性情報との間の対応関係を取得する。
【０２３１】
更なる他の取り得る一実装において、設定情報はＰＤＣＣＨ上で搬送され、端末は、ＰＤＣＣＨ上でＤＣＩを取得することによって、第１の識別子、信頼性情報、及び第１の識別子と信頼性情報との間の対応関係を取得する。
【０２３２】
更なる他の取り得る一実装では、ネットワーク装置が設定情報を事前設定情報内で設定し、端末は、事前設定情報から設定情報を取得する。
【０２３３】
第１の識別子は、第１の論理チャネルグループ識別子（Logical  Channel  Group  Identity，ＬＣＧ  ＩＤ）又は第１の宛先アドレス識別子であってもよいし、あるいは第１のＬＣＧ  ＩＤ及び第１の宛先アドレス識別子であってもよい。
【０２３４】
信頼性情報は、信頼性閾値、列挙された信頼値、又は信頼性範囲を含む。
【０２３５】
また、信頼性情報は、以下に限られないが、信頼性情報を指す又は指し示すために使用される、識別子、インデックス、又は他の情報とし得る。第１の識別子と信頼性情報との間の対応関係は、暗示的なものであってもよいし、明示的なものであってもよい。
【０２３６】
以下では、第１の識別子が第１のＬＣＧ  ＩＤであり、信頼性情報が列挙された信頼値であり、列挙された信頼値が一連の離散的な信頼値を含み、且つ信頼値が信頼性識別子を用いることによって指し示される例を使用する。
【０２３７】
取り得る一実装において、ネットワーク装置によって生成される設定情報は、少なくとも１つのＬＣＧ  ＩＤ及び少なくとも１つの信頼性識別子を含むことができ、例えば、ＬＣＧ  ＩＤ１、信頼性識別子１、ＬＣＧ  ＩＤ２、及び信頼性識別子２を含み得る。ＬＣＧ  ＩＤ１は信頼性識別子１に対応し、ＬＣＧ  ＩＤ２は信頼性識別子２に対応し、信頼性識別子１は列挙された信頼値１を指すことができ、信頼性識別子２は列挙された信頼値２を指すことができる。設定情報を受信した後、端末は、設定情報を用いることによって、ＬＣＧ  ＩＤ１が列挙された信頼値１と対応関係を持ち、ＬＣＧ  ＩＤ２が列挙された信頼値２と対応関係を持つと特定し得る。
【０２３８】
他の取り得る一実装において、設定情報は、ＬＣＧ  ＩＤを含まずに、少なくとも１つの信頼性情報のみを含んでもよい。端末は、事前に合意されたシーケンス又はルールに基づいて、該少なくとも１つの信頼性情報に対応するＬＣＧ  ＩＤを特定し得る。上記シーケンスは、プロトコルにて規定されてもよいし、あるいは、交渉を通じてネットワーク装置及び端末装置によって合意されてもよい。例えば、ＬＣＧ  ＩＤはシーケンス番号とし得るので、両者はＬＣＧ  ＩＤが昇順に並べられることに合意し得る。例えば、ＬＣＧ  ＩＤが順に０、１、２、及び３と番号付けられる場合、設定情報は、ＬＣＧ  ＩＤを含まずに、少なくとも１つの信頼性情報のみを含んでもよい。端末は、該少なくとも１つの信頼性情報のシーケンスに従って、該少なくとも１つの信頼性情報に対応する論理チャネルグループ識別子を特定し得る。
【０２３９】
例えば、設定情報は、｛信頼性識別子１｝、｛信頼性識別子２，信頼性識別子３｝、｛信頼性識別子４｝、｛信頼性識別子５，信頼性識別子６｝のみを含む。両者は、ＬＣＧ  ＩＤが昇順に並べられることに合意する。設定情報を受信した後、端末は、｛信頼性識別子１｝が、０と番号付けられた論理チャネルグループ識別子に対応し、｛信頼性識別子２，信頼性識別子３｝が、１と番号付けられた論理チャネルグループ識別子に対応し、｛信頼性識別子４｝及び｛信頼性識別子５，信頼性識別子６｝が、それぞれ、２及び３と番号付けられた論理チャネルグループ識別子に対応することを特定し得る。
【０２４０】
確かなことには、理解され得ることに、第１の設定情報は、１つの信頼性情報のみを含んでもよく、該信頼性情報は、０と番号付けられた論理チャネルグループ識別子に対応する。
【０２４１】
ステップ２０２：端末がデータを取得し、該データのデータ信頼性は第１のデータ信頼性である。
【０２４２】
具体的には、サイドリンクデータの各々がデータ属性を持ち、データ属性は信頼性を含み得る。例えば、端末によって取得されたデータの信頼性は第１の信頼性である。
【０２４３】
データ属性については、前述の実施形態のステップ１０３における関連する説明を参照されたい。詳細をここで再び説明することはしない。ステップ２０１及びステップ２０２の時間シーケンスは、この出願において限定されることではない。ステップ２０２がステップ２０１の前に実行されてもよいし、あるいは、ステップ２０１及びステップ２０２が同時に実行されてもよい。
【０２４４】
ステップ２０３：第１の信頼性が信頼性情報に対応するとき、サイドリンクバッファステータスレポートＢＳＲをネットワーク装置に送信し、該サイドリンクＢＳＲ内の第１のデータフィールドは第１の識別子である。
【０２４５】
具体的には、第１の信頼性が信頼性情報に対応することは、以下を含む。
【０２４６】
信頼性情報は、第２の信頼性閾値を含み、第１の信頼性が信頼性情報に対応することは、第１の信頼性が第２の信頼性閾値以上であることを含む、
信頼性情報は、第３の信頼性閾値を含み、第１の信頼性が信頼性情報に対応することは、第１の信頼性が第３の信頼性閾値以下であることを含む、又は
信頼性情報は、第２の列挙された信頼値を含み、第１の信頼性が信頼性情報に対応することは、第１の信頼性が第２の列挙された信頼値に等しいことを含み、列挙された値は、一群の離散値、識別子、又はインデックスとすることができ、第１の信頼性が第２の列挙された信頼値に等しいことは、第１の信頼性が第２の列挙された信頼値の中のいずれかのアイテムに等しいことを意味し、例えば、第１の信頼性が信頼性１であり、且つ第２の列挙された信頼値が｛信頼性１，信頼性５，信頼性６｝である場合、第１の信頼性は第２の列挙された信頼値に対応する、又は
信頼性情報は、第２の信頼性範囲を含み、第１の信頼性が信頼性情報に対応することは、第１の信頼性が第２の信頼性範囲内にあることを含む。
【０２４７】
オプションの一実装において、端末はデータを有し、該データに対応する信頼性は第１の信頼性であり、且つ第１の識別子に対応する信頼性情報に対応する。端末は、サイドリンクバッファステータスレポートＢＳＲ内の第１のデータフィールドを第１の識別子として設定し、バッファステータスレポート（Buffer  Status  Reporting，ＢＳＲ）をネットワーク装置に送信して、その信頼性が第１の信頼性情報に対応するデータを端末が有することをネットワーク装置に通知する。斯くして、ネットワーク装置は、端末のサイドリンクデータのデータ信頼性を知る。
【０２４８】
なお、特定のＢＳＲ送信トリガー条件が存在してもよい。これは、本発明において限定されることではない。
【０２４９】
例えば、サイドリンクＢＳＲのデータフォーマット、ＢＳＲ送信トリガー条件、データバッファサイズを算出又は計数する方法については、第３世代パートナーシッププロジェクトＴＳ３６．３２１  Ｖ１５．０．０内のチャプタ５．１４．１．４及び６．１．３における関連プロトコルを参照されたい。
【０２５０】
オプションで、ＢＳＲは、端末によって基地局に送信されるＭＡＣ  ＰＤＵに含められる。
【０２５１】
オプションで、ＢＳＲは、端末によって基地局に送信されるＭＡＣ  ＣＥに含められる。
【０２５２】
図５は、ＬＴＥ−Ｖ２ＸサイドリンクＢＳＲのフォーマットを示している。該ＢＳＲは、複数の異なる情報を指し示す又は反映するための複数の異なるデータフィールドが含んでいる。例えば、ＬＴＥ−Ｖ２ＸサイドリンクＢＳＲは、宛先アドレスを特定するために使用される宛先アドレスインデックスフィールド（Destination  index）、データバッファサイズを特定するために使用されるデータバッファサイズフィールド（Buffer  Size）、及び論理チャネルグループ識別子を特定するために使用される論理チャネルグループ識別子フィールド（LCG  ID）を含む。異なるデータフィールドは異なるビットを占有し得る。例えば、宛先アドレスインデックスフィールドは３ビットを占有し得る。これは、本発明において限定されることではない。従来のＬＴＥ  Ｖ２ＸサイドリンクＢＳＲのフォーマットは、この出願に何ら制限を課すものではなく、この出願は厳密に異なるＢＳＲフォーマットを使用する。
【０２５３】
オプションで、端末は代わりに、基地局がサイドリンクデータについてもっと多くの情報を得ることができるように、ＢＳＲ内の第２のデータフィールドを端末のデータバッファサイズとして設定してもよい。オプションで、端末のデータバッファサイズは、端末のものであって信頼性情報を満足するサイドリンクデータのデータサイズである。確かなことには、理解され得るように、図５は単に一部の例を提供するものである。単一のＢＳＲが、複数の宛先アドレスインデックスフィールド、データバッファサイズフィールド、及び論理チャネルグループ識別子フィールドを含んでもよい。
【０２５４】
例えば、端末の送られるべきサイドリンクデータは、データ１、データ２、及びデータ３であり、データ１に対応する信頼性は、信頼性識別子１、宛先アドレス１、及びデータサイズＢ１であり、データ２に対応する信頼性は、信頼性識別子２、宛先アドレス１、及びデータサイズＢ２であり、データ３に対応する信頼性は、信頼性識別子４、宛先アドレス２、及びデータサイズＢ３である。データ１、データ２、及びデータ３は各々、複数のデータパケットを含み得る。Ｖ２Ｘサービスでは、異なるサービスは異なる宛先アドレスを有し得る。オプションで、ＢＳＲは複数の異なる宛先アドレスを含み得る。
【０２５５】
加えて、設定情報は、第１の識別子と、例えば信頼性識別子１及び信頼性識別子２といった、第１の識別子と対応関係を持つ信頼性情報とを含む。第１の識別子はＬＣＧ  ＩＤ１を含み、信頼性情報は信頼性識別子１及び信頼性識別子２を含む。この場合、設定情報を受信した後、端末によってネットワーク装置に報告されるサイドリンクＢＳＲは、｛宛先アドレス１，ＬＣＧ  ＩＤ１，Ｃ１｝を含むことができ、Ｃ１は、データサイズＢ１とデータサイズＢ２との和に対応する識別子又はインデックスを表す。サイドリンクＢＳＲを受信した後、ネットワーク装置は、その宛先アドレスが１であり、優先度が１及び２であり、且つデータ量がＣ１であるデータを端末が有することを知って、端末のためにネットワーク装置によって実行されるその後のリソーススケジューリングの準備を行い得る。
【０２５６】
確かなことには、理解され得ることに、設定情報は更に、ＬＣＧ  ＩＤ２と信頼性情報との間の対応関係、より多くの第１の識別子、より多くの信頼性識別子、及び第１の識別子と信頼性識別子との間の対応関係を含んでもよい。これは、この出願の実施態様において限定されることではない。
【０２５７】
オプションで、Ｃ１はデータサイズインターバルのインデックスであってもよく、端末のデータバッファサイズの範囲を指し示すために使用される。Ｃ１は、特定の正確な値であってもよいし、あるいは、範囲インターバルであってもよい。
【０２５８】
オプションで、第１の設定情報は更に優先度情報を含み、データに対応する優先度は第１の優先度である。
【０２５９】
具体的には、優先度情報は、第１の優先度閾値を含み、第１の優先度が優先度情報に対応することは、第１の優先度が第１の優先度閾値以上であることを含み、
優先度情報は、第２の優先度閾値を含み、第１の優先度が優先度情報に対応することは、第１の優先度が第２の優先度閾値以下であることを含み、
優先度情報は、第１の列挙された優先値を含み、第１の優先度が優先度情報に対応することは、第１の優先度が第１の列挙された優先値に等しいことを含み、列挙された値は、一群の離散値、識別子、又はインデックスとすることができ、第１の優先度が第１の列挙された優先値に等しいことは、第１の優先度が第１の列挙された優先値の中のいずれかのアイテムに等しいことを意味し、例えば、第１の優先度が優先度１であり、且つ第１の列挙された優先値が｛優先度１，優先度５，優先度６｝である場合、第１の優先度は第１の列挙された優先値に対応し、又は
優先度情報は、第１の優先度範囲を含み、第１の優先度が優先度情報に対応することは、第１の優先度が第１の優先度範囲内にあることを含む。
【０２６０】
第１の優先度範囲が第１の優先度範囲の境界値を含むかどうかは、この出願において限定されることではなく、例えば（Ａ１，Ｂ１）、（Ａ１，Ｂ１］、［Ａ１，Ｂ１）、及び［Ａ１，Ｂ１］などの複数の取り得る組み合わせが含まれることができ、ただし、“（”は、端の値が含まれないことを指し示し、“］”は、端の値が含まれることを指し示す。
【０２６１】
この出願において、優先度情報は、優先度情報を指す又は指し示すために使用される識別子、インデックス、又は他の情報に限定されないとし得る。優先度情報が第１の優先度閾値であることを例として用いる。第１の優先度閾値は、識別子、インデックス、又は第１の優先度閾値それ自体を用いることによって指されてもよい。
【０２６２】
第１の信頼性が信頼性情報に対応することは、第１の信頼性が信頼性情報に対応し、且つ第１の優先度が優先度情報に対応することを含む。具体的には、サイドリンクＢＳＲ内の第１のデータフィールドは、端末の送られるべきデータが信頼性情報及び優先度情報の制約条件を満たすときにのみ、第１の識別子として設定される。端末は、第１の識別子を含むＢＳＲをネットワーク装置に送信して、その信頼性が信頼性情報に対応し且つ優先度が優先度情報に対応するデータを端末が有することをネットワーク装置に通知する。斯くして、ネットワーク装置は、端末のサイドリンクデータのデータ信頼性及びデータ優先度を知る。
【０２６３】
オプションで、端末は代わりに、基地局がサイドリンクデータについてもっと多くの情報を得ることができるように、ＢＳＲ内の第２のデータフィールドを端末のデータバッファサイズとして設定してもよい。オプションで、端末のデータバッファサイズは、端末のものであって信頼性情報及び優先度情報の双方を満足するサイドリンクデータのデータサイズである。
【０２６４】
例えば、設定情報は、ＬＣＧ  ＩＤと信頼性情報｛信頼性識別子１｝、｛信頼性識別子１｝、｛信頼性識別子２｝、｛信頼性識別子３，信頼性識別子４｝との間の対応関係を含む。
【０２６５】
加えて、設定情報は更に、｛優先度識別子１｝、｛優先度識別子２｝、｛優先度識別子３｝、及び｛優先度識別子４｝を含む。
【０２６６】
端末は、設定情報に基づいて、以下の対応関係を取得し得る。
【表５】
2021513276.tif 000007
【０２６７】
他の一例において、端末のサイドリンクデータは、データ１及びデータ２であり、データ１は、優先度識別子１、信頼性識別子１、宛先アドレス１、及びデータサイズＢ１に対応し、データ２は、優先度識別子４、信頼性識別子３、宛先アドレス２、及びデータサイズＢ２に対応する。十分なアップリンクリソースが存在する場合、端末によって設定されるサイドリンクＢＳＲのコンテンツは、｛宛先アドレス１，ＬＣＧ  ＩＤ１，Ｃ１｝及び｛宛先アドレス２，ＬＣＧ  ＩＤ４，Ｃ２｝のとおりである。
【０２６８】
Ｃ１は、データサイズＢ１に対応する識別子又はインデックスを表し、Ｃ２は、データサイズＢ２に対応する識別子又はインデックスを表す。
【０２６９】
なお、ＢＳＲを送信することは、特定のアップリンクリソースを占有する必要がある。アップリンクリソースが不十分であるとき、端末は、ＢＳＲの一部のみを基地局に送信してもよい。すなわち、ＢＳＲは、１つのＬＣＧ  ＩＤ、及び該ＬＣＧ  ＩＤに対応する関連情報のみを含む。例えば、ＢＳＲは、｛宛先アドレス１，ＬＣＧ  ＩＤ１，Ｃ１｝のみを含み得る。
【０２７０】
複数のＬＣＧ  ＩＤが存在するとき、ＢＳＲレポートすることの間に異なるＬＣＧ  ＩＤが優先順位付けされる。それらのＬＣＧ  ＩＤは、ＬＣＧ  ＩＤのシーケンス番号に従って順に報告されてもよいし、あるいは、信頼性の降順で順に報告されてもよい。
【０２７１】
オプションで、設定情報は更に、第２の識別子に対応する優先度情報を含み、データに対応する優先度は第１の優先度である。第２の識別子は、第１の識別子と同じであってもよいし、異なってもよい。理解され得ることには、第２の識別子と第１の優先度との間の対応関係は、明示的なものであってもよいし、暗示的なものであってもよい。また、第２の識別子は、第１の識別子と同じであってもよいし、異なってもよい。
【０２７２】
オプションで、第２の識別子は、第２の論理チャネルグループ識別子及び／又は第２の宛先アドレス識別子とし得る。
【０２７３】
具体的には、優先度情報は、第３の優先度閾値を含み、第１の優先度が優先度情報に対応することは、第１の優先度が第１の優先度閾値以上であることを含み、
優先度情報は、第４の優先度閾値を含み、第１の優先度が優先度情報に対応することは、第１の優先度が第４の優先度閾値以下であることを含み、
優先度情報は、第２の列挙された優先値を含み、第１の優先度が優先度情報に対応することは、第１の優先度が第２の列挙された優先値に等しいことを含み、列挙された値は、一群の離散値、識別子、又はインデックスとすることができ、第１の優先度が第２の列挙された優先値に等しいことは、第１の優先度が第２の列挙された優先値の中のいずれかのアイテムに等しいことを意味し、例えば、第１の優先度が優先度１であり、且つ第２の列挙された優先値が｛優先度１，優先度５，優先度６｝である場合、第１の優先度は第２の列挙された優先値に等しく、又は
優先度情報は、第２の優先度範囲を含み、第１の優先度が優先度情報に属することは、第１の優先度が第２の優先度範囲内にあることを含む。
【０２７４】
第２の優先度範囲が第２の優先度範囲の境界値を含むかどうかは、この出願において限定されることではなく、例えば（Ａ１，Ｂ１）、（Ａ１，Ｂ１］、［Ａ１，Ｂ１）、及び［Ａ１，Ｂ１］などの複数の取り得る組み合わせが含まれることができ、ただし、“（”は、端の値が含まれないことを指し示し、“］”は、端の値が含まれることを指し示す。
【０２７５】
この出願において、優先度情報は、優先度情報を指す又は指し示すために使用される識別子、インデックス、又は他の情報に限定されないとし得る。優先度情報が第２の優先度閾値であることを例として用いる。第２の優先度閾値は、識別子、インデックス、又は第２の優先度閾値それ自体を用いることによって指されてもよい。
【０２７６】
この場合、第１の信頼性が信頼性情報に対応することは、第１の信頼性が信頼性情報に対応し、且つ第１の優先度が優先度情報に対応することを含む。端末は、端末のデータが信頼性情報及び優先度情報の双方の制約を満たすときにのみ、バッファステータスレポート（Buffer  Status  Reporting，ＢＳＲ）内の第１のデータフィールドを第１の識別子として設定し、ＢＳＲ内の第２のデータフィールドを第２の識別子として設定する。端末は、ＢＳＲをネットワーク装置に送信して、その信頼性が第１の信頼性情報に対応し且つその優先度が優先度情報に属するデータを端末が有することをネットワーク装置に通知する。斯くして、基地局は、端末のサイドリンクデータのデータ信頼性及びデータ優先度を知る。
【０２７７】
オプションで、ＢＳＲ内の第１のデータフィールドを第１の識別子として設定することは、ＢＳＲ内の第１のデータフィールドの最初のＮ１ビットを第１の識別子として設定し、第１のデータフィールドの最後のＮ２ビットを第２の識別子として設定することを含み、ただし、Ｎ１及びＮ２は正の整数であり、同じであってもよいし、異なってもよい。斯くして、基地局は、端末のサイドリンクデータのデータ信頼性及びデータ優先度を知る。
【０２７８】
オプションで、ＢＳＲ内の第１のデータフィールドを第１の識別子として設定することは、ＢＳＲ内の第１のデータフィールドの最初のＭ１ビットを第１の識別子として設定し、第１のデータフィールドの最後のＭ２ビットを第２の識別子として設定することを含み、ただし、Ｍ１及びＭ２は正の整数であり、同じであってもよいし、異なってもよい。斯くして、基地局は、端末のサイドリンクデータのデータ信頼性及びデータ優先度を知る。
【０２７９】
オプションで、端末は代わりに、基地局がサイドリンクデータについてもっと多くの情報を得ることができるように、ＢＳＲ内の第２のデータフィールドを端末のデータバッファサイズとして設定してもよい。オプションで、端末のデータバッファサイズは、端末のものであって信頼性情報及び優先度情報の双方を満足するサイドリンクデータのデータサイズである。
【０２８０】
例えば、設定情報は、ＬＣＧ  ＩＤと信頼性情報｛信頼性識別子１｝、｛信頼性識別子２｝、｛信頼性識別子３｝、及び｛信頼性識別子４｝との間の対応関係を含む。
【０２８１】
設定情報は更に、ＬＣＧ  ＩＤと優先度情報｛優先度識別子１｝、｛優先度識別子２｝、｛優先度識別子３｝、及び｛優先度識別子４｝との間の対応関係を含む。
【０２８２】
端末は、設定情報を取得することによって、以下の対応関係を取得し得る。
【表６】
2021513276.tif 000008
【０２８３】
例えば、表６において、第１の列のいずれのアイテムも第１の識別子を表すことができ、対応する第２の列は優先情報を表し、第３の列のいずれのアイテムも第２の識別子を表すことができ、そして、対応する第４の列は信頼性情報を表し得る。端末のサイドリンクデータは、データ１及びデータ２であり、データ１は、優先度識別子１、信頼性識別子２、宛先アドレス１、及びデータサイズＢ１に対応し、データ２は、優先度識別子４、信頼性識別子３、宛先アドレス２、及びデータサイズＢ２に対応する。端末に利用可能な十分なアップリンクリソースが存在する場合、サイドリンクＢＳＲのコンテンツは、｛宛先アドレス１，ＬＣＧ  ＩＤ１，ＬＣＧ  ＩＤ２，Ｃ１｝、｛宛先アドレス２，ＬＣＧ  ＩＤ４，ＬＣＧ  ＩＤ３，Ｃ２｝のとおり示されることができ、ただし、Ｃ１は、データサイズＢ１に対応する識別子又はインデックスであり、Ｃ２は、データサイズＢ２に対応する識別子又はインデックスである。
【０２８４】
確かなことには、理解され得ることに、第１の識別子及び第２の識別子は、例えば第１のデータフィールドといった１つのデータフィールドに含められてもよい。例えば、データ１に対応する第１のデータフィールドフォーマットが図６に示されているとすることができ、最初のＮ１ビットが、ＬＣＧ  ＩＤ１を指し示すために使用され、最後のＮ２ビットが、ＬＣＧ  ＩＤ２を指し示すために使用されてもよく、その逆もまた然りである。Ｎ１及びＮ２は同じであってもよく、どちらも４である。
【０２８５】
図７は、この出願に従ったデータ伝送装置の一実施形態の概略構成図である。この装置は、図３に対応するデータ伝送方法を実行するように、例えば第１の端末といった前述の実施形態における端末にされてもよいし、あるいは、端末上に配置されてもよい。
【０２８６】
図７に示すように、データ伝送装置は、プロセッサ７０１及びトランシーバ回路７０２を含む。
【０２８７】
プロセッサ７０１は、トランシーバ回路を使用して、第１の条件を指し示すために使用される情報を取得し、伝送対象データを取得し、第１の条件が満たされるときに、サイドリンク上で、第１の搬送波周波数を用いることによって第１の論理チャネル上にある前記伝送対象データを送信し、且つ第２の搬送波周波数を用いることによって第２の論理チャネル上にある前記伝送対象データを送信する、ように構成される。
【０２８８】
第１の条件を指し示すために使用される情報は、チャネル輻輳情報及び信頼性情報のうちの１つ以上を含む。
【０２８９】
第１の条件は、輻輳条件及び信頼性条件のうちの１つ以上を含む。
【０２９０】
オプションで、第１の条件はアクティブ化条件とし得る。
【０２９１】
第１の条件を指し示すために使用される情報は、ネットワーク装置によって端末に送信されるＲＲＣシグナリングにて搬送されることができ、該ＲＲＣシグナリングは、ＳＩＢメッセージ又は専用ＲＲＣシグナリングとし得る。プロセッサは、トランシーバ回路を用いることによってＲＲＣシグナリングを受信して、第１の条件を指し示すために使用される情報を取得する。
【０２９２】
代わりに、第１の条件を指し示すために使用される情報は、ネットワーク装置によって端末装置に送信されるデータパケットにて搬送されてもよく、例えば、ＭＡＣ  ＣＥに含められ得る。プロセッサは、トランシーバ回路を用いることによってデータパケットを受信して、第１の条件を指し示すために使用される情報を取得する。
【０２９３】
あるいは、第１の条件を指し示すために使用される情報は、ＰＤＣＣＨ上で搬送され、プロセッサは、トランシーバ回路を用いることによってＰＤＣＣＨを受信し、ＰＤＣＣＨはＤＣＩを含み、ＤＣＩが、第１の条件を指し示すために使用される情報を担持する。
【０２９４】
あるいは、第１の条件を指し示すために使用される情報は、事前設定情報に含められ、プロセッサは、トランシーバ回路を用いることによって、第１の条件を指し示すために使用される情報を取得する。
【０２９５】
オプションで、取り得る一実装において、チャネル輻輳情報は、第１のチャネル輻輳閾値を含み、輻輳条件は、第３の搬送波周波数についてのチャネル輻輳度が第１のチャネル輻輳閾値以上であることを含み、
チャネル輻輳情報は、第２のチャネル輻輳閾値を含み、輻輳条件は、第３の搬送波周波数についてのチャネル輻輳度が第２のチャネル輻輳閾値以下であることを含み、又は
チャネル輻輳情報は、第１のチャネル輻輳範囲であり、輻輳条件は、端末の第３の搬送波周波数についてのチャネル輻輳度が第１のチャネル輻輳範囲内にあることを含み、
第３の搬送波周波数は、ネットワーク装置によって設定される又は事前設定された、サイドリンク通信に使用される搬送波周波数、のうちの１つである。
【０２９６】
オプションで、他の取り得る一実装において、信頼性情報は、第１の信頼性閾値を含み、信頼性条件は、伝送対象データの信頼性が第１の信頼性閾値以上であることを含み、
信頼性情報は、第１の列挙された信頼値を含み、信頼性条件は、伝送対象データの信頼性が第１の列挙された信頼値に等しいことを含み、又は
信頼性情報は、第１の信頼性範囲を含み、信頼性条件は、伝送対象データの信頼性が第１の信頼性範囲内にあることを含む。
【０２９７】
オプションで、この実施形態の取り得る一実装において、プロセッサ７０１は更に、トランシーバ回路を用いることによって、搬送波周波数セットを指し示すために使用される情報を取得するように構成され、搬送波周波数セットは第１のデータ属性に対応し、搬送波周波数セットは第１の搬送波周波数及び第２の搬送波周波数を含み、伝送対象データはデータ属性を有する。
【０２９８】
データ属性は、優先度、信頼性、遅延、宛先アドレス、及びサービスタイプのうちの少なくとも１つを含む。第１のデータ属性は更に、別の特徴を含んでもよく、これは、この実施形態において特に限定されることではない。
【０２９９】
搬送波周波数セットを指し示すために使用される情報を取得する方法は、第１の条件を指し示すために使用される情報を取得する方法と同様であり、詳細をここで再び説明することはしない。
【０３００】
オプションで、この実施形態の更なる他の取り得る一実装において、プロセッサ７０１は更に、トランシーバ回路を用いることによって、各論理チャネルのデータ属性を取得するように構成される。
【０３０１】
プロセッサは更に、各論理チャネルのデータ属性を検出し、第１の論理チャネル及び第２の論理チャネルを決定するように構成される。
【０３０２】
オプションで、この実施形態の更なる他の取り得る一実装において、プロセッサ７０１は更に、トランシーバ回路を用いることによって、重複データ伝送に使用される論理チャネル間のプリセットされた対応関係を取得し、プリセットされた対応関係が満たされることが検出されたときに、第１の論理チャネル及び第２の論理チャネルを決定するように構成される。
【０３０３】
理解され得ることには、“検出”はまた、決定すること、決定すること、又はこれらにお類するものとしても説明され得る。
【０３０４】
オプションで、この実施形態の更なる他の取り得る一実装において、プロセッサ７０１は更に、第２の条件が満たされるときに、サイドリンク上で第１の搬送波周波数を用いることによって第１の論理チャネル上にある伝送対象データを送信し且つ第２の搬送波周波数を用いることによって第２の論理チャネル上にある伝送対象データを送信することを、停止させるように構成される。
【０３０５】
さらに、第２の条件を指し示すために使用される情報は、第３のチャネル輻輳閾値、第４のチャネル輻輳閾値、及び第２のチャネル輻輳範囲のうちのいずれか１つを含む。
【０３０６】
第２の条件は、第４の搬送波周波数についてのチャネル輻輳度が第３のチャネル輻輳閾値以上であること、
第４の搬送波周波数についてのチャネル輻輳度が第４のチャネル輻輳閾値以上であること、又は
第４の搬送波周波数についてのチャネル輻輳度が第２のチャネル輻輳範囲内にあることを含む。
【０３０７】
第４の搬送波周波数は、第３の搬送波周波数と同じであってもよいし、異なってもよい。
【０３０８】
加えて、この実施形態にて提供される装置は更に、図４に示したデータ伝送方法を実装するように、識別情報を含むサイドリンクＢＳＲを生成し、該ＢＳＲをネットワーク装置に報告するように構成される。詳細は、次のとおりである。
【０３０９】
トランシーバ回路７０２が、設定情報及びデータを取得するように構成され、設定情報は、第１の識別子に対応する信頼性情報を含み、あるいは更に第１の識別子を含むことができる。
【０３１０】
プロセッサ７０１が、第１の信頼性が信頼性情報に対応することが検出された場合に、サイドリンクバッファステータスレポートＢＳＲ内の第１のデータフィールドを第１の識別子として設定し、トランシーバ回路７０２を用いることによって該ＢＳＲをネットワーク装置に送信するように構成される。
【０３１１】
第１の識別子は、第１の論理チャネルグループ識別子、第１の宛先アドレス識別子、又は、第１の論理チャネルグループ識別子と第１の宛先アドレス識別子を含む。
【０３１２】
オプションで、この実施形態の取り得る一実装において、信頼性情報は、第２の信頼性閾値を含み、第１の信頼性が信頼性情報に対応することは、第１の信頼性が第２の信頼性閾値以上であることを含み、
信頼性情報は、第３の信頼性閾値を含み、第１の信頼性が信頼性情報に対応することは、第１の信頼性が第３の信頼性閾値以下であることを含み、
信頼性情報は、第２の列挙された信頼値を有し、第１の信頼性が信頼性情報に対応することは、第１の信頼性が第２の列挙された信頼値に等しいことを含み、又は
信頼性情報は、第２の信頼性範囲を含み、第１の信頼性が信頼性情報に対応することは、第１の信頼性が第２の信頼性範囲内にあることを含む。
【０３１３】
オプションで、この実施形態の取り得る一実装において、設定情報は更に優先度情報を含み、データに対応する優先度は第１の優先度である。
【０３１４】
プロセッサは具体的に、第１の信頼性が信頼性情報に対応し且つ第１の優先度が優先度情報に対応することが検出された場合に、サイドリンクバッファステータスレポートＢＳＲ内の第１のデータフィールドを第１の識別子として設定し、トランシーバ回路７０２を用いることによって該ＢＳＲをネットワーク装置に送信するように構成される。
【０３１５】
オプションで、この実施形態の更なる他の取り得る一実装において、優先度情報は、第１の優先度閾値を含み、第１の優先度が優先度情報に対応することは、第１の優先度が第１の優先度閾値以上であることを含み、
優先度情報は、第２の優先度閾値を含み、第１の優先度が優先度情報に対応することは、第１の優先度が第２の優先度閾値以下であることを含み、
優先度情報は、第１の列挙された優先値を含み、第１の優先度が優先度情報に対応することは、第１の優先度が第１の列挙された優先値に等しいことを含み、又は
優先度情報は、第１の優先度範囲を含み、第１の優先度が優先度情報に対応することは、第１の優先度が第１の優先度範囲内にあることを含む。
【０３１６】
特定の実装において、この出願は更に端末を提供する。図８に示すように、端末は、前述の実施形態におけるデータ伝送方法を実行するように構成される。端末は、プロセッサ８０１、トランシーバ８０２、及びメモリ８０３を含み得る。端末は更に、もっと多数又は少数のコンポーネントを含んでもよいし、あるいは一部のコンポーネントを組み合わせてもよいし、あるいは異なるコンポーネント構成を有してもよい。これは、この出願において限定されることではない。
【０３１７】
トランシーバ８０２はトランシーバ回路を含む。トランシーバ回路は、例えば、データ、シグナリング、及び要求メッセージを送信及び受信するなど、端末間での及び端末とネットワーク装置との間での通信及び伝送を実行するように構成された受信ユニット及び送信ユニットを含み得る。
【０３１８】
さらに、トランシーバ８０２は、例えば、無線ネットワーク通信、Ｂｌｕｅｔｏｏｔｈ通信、赤外線通信、及び／又は例えば広帯域符号分割多元接続（wideband  code  division  multiple  access，ＷＣＤＭＡ）及び／又は高速ダウンリンクパケットアクセス（high  speed  downlink  packet  access，ＨＳＤＰＡ）といったセルラー通信システムにおける通信を実行するための通信モジュールに対応する、無線ローカルエリアネットワーク（wireless  local  area  network，ＷＬＡＮ）モジュール、Ｂｌｕｅｔｏｏｔｈモジュール、及びベースバンド（base  band）モジュール、及び無線周波数（radio  frequency，ＲＦ）回路などの、通信モジュールを含み得る。
【０３１９】
プロセッサ８０１は、端末の制御センタであり、種々のインタフェース及びラインを用いることによって端末装置全体の全ての部分に接続され、メモリに格納されたソフトウェアプログラム及び／又はモジュールを走らせ又は実行し且つメモリ８０３に格納されたデータを呼び出して、端末の様々な機能を実行し及び／又はデータを処理する。
【０３２０】
さらに、プロセッサ８０１は、集積回路（integrated  circuit，ＩＣ）を含むことができ、例えば、単一パッケージ化ＩＣを含んでもよいし、あるいは、同一機能又は異なる機能を持つ複数の接続されたパッケージ化ＩＣを含んでもよい。例えば、プロセッサ８０１は、中央演算処理ユニット（central  processing  unit，ＣＰＵ）のみを含んでもよいし、あるいは、ＧＰＵ、デジタル信号プロセッサ（digital  signal  processor，ＤＳＰ）、及びトランシーバモジュール内の制御チップ（例えば、ベースバンドチップ）の組み合わせであってもよい。この出願の様々な実装において、ＣＰＵは、単一のコンピューティングコアであってもよいし、あるいは、複数のコンピューティングコアを含んでもよい。
【０３２１】
メモリ８０３は、例えばランダムアクセスメモリ（random  access  memory，ＲＡＭ）といった揮発性メモリ（volatile  memory）を含むことができ、あるいは、例えばフラッシュメモリ（flash  memory）、ハードディスクドライブ（hard  disk  drive，ＨＤＤ）、又はソリッドステートドライブ（solid-state  drive，ＳＳＤ）といった不揮発性メモリ（non-volatile  memory）を含むことができる。メモリは代わりに、前述のタイプのメモリの組み合わせを含んでもよい。メモリは、プログラム又はコードを格納することができ、端末のプロセッサ８０１は、該プログラム又は該コードを実行することによってネットワーク装置の機能を実装することができる。
【０３２２】
前述の実施形態において、図７に示したトランシーバ回路７０２の全ての機能が、端末のトランシーバ８０２によって実装されることができ、あるいは、トランシーバ８０２を制御するプロセッサ８０１によって実装されることができる。図７に示したプロセッサ又はプロセッシングユニットによって実装される機能が、プロセッサ８０１によって実装され得る。
【０３２３】
メモリ８０３は、例えば、第１の条件を指し示すために使用される情報、搬送波周波数セットを指し示すために使用される情報、チャネル輻輳情報、信頼性情報、及び第２の条件を指し示すために使用される情報といった、ネットワーク装置からの様々な情報を格納するように構成される。また、これらの情報は、ＲＲＣシグナリングにて搬送され得る。加えて、メモリは更に、第１の搬送波周波数セット、第２の搬送波周波数セット、ＰＤＣＰ層における伝送対象データ、様々な輻輳条件、様々な信頼性条件、及びこれらに類するものを格納するように構成される。
【０３２４】
特定の実装において、この出願は更に、コンピュータ記憶媒体を提供する。コンピュータ記憶媒体は、プログラムを格納することができ、該プログラムが実行されるとき、この出願にて提供されるデータ伝送方法の実施形態におけるステップの一部又は全てが実行され得る。記憶媒体は、磁気ディスク、光ディスク、ＲＯＭ、ＲＡＭ、又はこれらに類するものとし得る。
【０３２５】
前述の端末の実施形態に対応して、この出願は更に、端末の挙動に対応するデータ伝送方法を実装するように構成されたネットワーク装置を提供する。具体的には、ネットワーク装置は、プロセッサ、トランシーバ、及びメモリを含み、あるいは、ネットワーク装置の構成は、端末の構成と同じである。詳細は、次のとおりである。
【０３２６】
ネットワーク装置は、第１の条件を指し示す情報を生成し、第１の条件に関する情報は、ＰＤＣＰ層における重複伝送をアクティブにするために使用されるアクティブ化条件を含むことができ、あるいは、アクティブ化条件を指し示すために使用される例えば必要パラメータなどの情報を含むことができる。
【０３２７】
ネットワークデバイスは、第１の条件に関する情報を送信する。
【０３２８】
オプションで、第１の条件を指し示すために使用される情報は、第１のチャネル輻輳閾値、第２のチャネル輻輳閾値、又は第１のチャネル輻輳範囲を含む。第１の条件は、輻輳条件を含む。さらに、輻輳条件は、端末の第３の搬送波周波数についてのチャネル輻輳度が第１のチャネル輻輳閾値以上であること、端末の第３の搬送波周波数についてのチャネル輻輳度が第２のチャネル輻輳閾値以下であること、又は、端末の第３の搬送波周波数についてのチャネル輻輳度が第１のチャネル輻輳範囲内にあることを含む。
【０３２９】
オプションで、第１の条件を指し示すために使用される情報は、第１の信頼性閾値、第１の列挙された信頼値、又は第１の信頼性範囲を含み、第１の条件は、信頼性条件を含む。さらに、信頼性条件は、伝送対象データの信頼性が第１の信頼性閾値以上であることを含み、信頼性条件は、伝送対象データの信頼性が第１の列挙された信頼値に等しいことを含み、又は、信頼性条件は、伝送対象データの信頼性が第１の信頼性範囲内にあることを含む。
【０３３０】
オプションで、この方法は更に、ネットワークデバイスが第２の条件を指し示す情報を生成し、該第２の条件を指し示す情報を送信する、ことを含む。
【０３３１】
第２の条件を指し示すために使用される情報は、第３のチャネル輻輳閾値、第４のチャネル輻輳閾値、及び第２のチャネル輻輳範囲のうちのいずれか１つを含む。第２の条件は、第４の搬送波周波数についてのチャネル輻輳度が第３のチャネル輻輳閾値以上であること、第４の搬送波周波数についてのチャネル輻輳度が第４のチャネル輻輳閾値以下であること、又は第４の搬送波周波数についてのチャネル輻輳度が第２のチャネル輻輳範囲内にあることを含む。
【０３３２】
オプションで、ネットワーク装置は更に、ＲＲＣシグナリングを送信し、該ＲＲＣシグナリングは、第３の搬送波周波数を指し示すために使用される情報を含む。
【０３３３】
オプションで、このＲＲＣシグナリングは、第１の搬送波周波数セット及び第２の搬送波周波数セットを指し示すために使用される情報を含む。
【０３３４】
オプションで、このＲＲＣシグナリングは、第３の搬送波周波数セットを指し示すために使用される情報を含む。
【０３３５】
オプションで、このＲＲＣシグナリングは、第４の搬送波周波数セットを指し示すために使用される情報を含み、第４の搬送波周波数セットは第１のデータ属性に対応し、第４の搬送波周波数セットは、第１の搬送波周波数及び第２の搬送波周波数を含む。データ属性は、優先度、信頼性、遅延、宛先アドレス、及びサービスタイプのうちの１つ以上を含む。
【０３３６】
さらに、この実施形態において、ネットワーク装置は更に、端末のサイドリンクステータスを取得して、端末のためのリソースをより良好にスケジュールするために、端末に設定情報を送信するように構成される。具体的には、データ伝送方法は、以下のステップを含み、すなわち、
ネットワーク装置により、設定情報を端末に送信し、該設定情報は、第１の識別子に対応する信頼性情報を含み、該設定情報は、端末のデータの信頼性が信頼性情報に対応する場合に、サイドリンクバッファステータスレポートＢＳＲ内の第１のデータフィールドを第１の識別子として設定するように端末を設定するために使用され、そして、
ネットワーク装置により、端末からのサイドリンクＢＳＲを受信する、
ステップを含む。
【０３３７】
オプションで、設定情報は更に優先度情報を含み、
設定情報は、端末のデータの信頼性が信頼性情報に対応し且つデータの優先度が優先度情報に対応する場合にサイドリンクＢＳＲを送信するように端末を設定するために使用され、該サイドリンクＢＳＲ内の第１のデータフィールドは第１の識別子である。
【０３３８】
オプションで、第１の識別子は、第１の論理チャネルグループ識別子、第１の宛先アドレス識別子、又は、第１の論理チャネルグループ識別子と第１の宛先アドレス識別子、を含む。
【０３３９】
特定の実装において、ネットワーク装置のプロセッサは、メモリ内の命令を読み出すことによって、前述のデータ伝送方法を実行する。プロセッサにメモリが結合され、メモリは、例えば磁気ディスク、光ディスク、ＲＯＭ、又はＲＡＭといった記憶媒体を含む。
【０３４０】
この出願の端末は、サイドリンク技術のシナリオで使用され、すなわち、装置対装置（device  to  device，Ｄ２Ｄ）データ伝送に適用可能である。端末は、一端にある送信装置であってもよいし、他端にある受信装置であってもよい。
【０３４１】
加えて、この出願は更に、サイドリンク上で重複データパケットを伝送するために使用される通信システムを提供する。このシステムは、少なくとも２つの端末を含み、各端末が、この出願の実施形態１におけるデータ伝送方法を実装すべく、図７に示したデータ伝送装置であることができ、あるいは、図８に示した端末構成を含むことができる。
【０３４２】
具体的には、データ伝送方法は、以下のステップを含み、すなわち。
【０３４３】
第１の端末により、少なくとも１つの第１の搬送波周波数及び少なくとも１つの第２の搬送波周波数を決定し、第１の搬送波周波数及び第２の搬送波周波数は相異なり、そして、
第１の端末によりサイドリンク上で、第１の論理チャネルにあるデータ及び第２の論理チャネル上にあるデータを、それぞれ、上記少なくとも１つの第１の搬送波周波数及び上記少なくとも１つの第２の搬送波周波数を用いることによって、第２の端末に送信し、第１の論理チャネル及び第２の論理チャネルはどちらも第１のデータを含み、第１のデータは同一のＰＤＣＰエンティティからのものである、
ステップを含む。
【０３４４】
オプションで、第１の端末により少なくとも１つの第１の搬送波周波数及び少なくとも１つの第２の搬送波周波数を決定することは、第１の端末により自律的に、少なくとも１つの第１の搬送波周波数及び少なくとも１つの第２の搬送波周波数を決定すること、又はネットワーク装置による事前設定を通じて、少なくとも１つの第１の搬送波周波数及び少なくとも１つの第２の搬送波周波数を決定することを含む。
【０３４５】
オプションで、この方法は更に、第１の端末により、搬送波周波数セットと識別子との間の対応関係を取得することを含み、識別子は、優先度、宛先アドレス、信頼性、遅延、及びサービスタイプのうちの少なくとも１つを含む。
【０３４６】
第１の端末により少なくとも１つの第１の搬送波周波数及び少なくとも１つの第２の搬送波周波数を決定することは更に、第１の端末により、第１のデータに対応する第１の識別子と上記対応関係とに基づいて少なくとも１つの第１の搬送波周波数及び少なくとも１つの第２の搬送波周波数を決定することを含み、該少なくとも１つの第１の搬送波周波数及び該少なくとも１つの第２の搬送波周波数は、上記搬送波周波数セットに属する。
【０３４７】
また、第１のデータに対応する第１の識別子は、第１のデータに対応する優先度、第１のデータに対応する宛先アドレス、第１のデータに対応する信頼性、第１のデータに対応する遅延、第１のデータに対応するサービスタイプ、及びこれらに類するもの、のうちの少なくとも１つを含む。
【０３４８】
オプションで、第１の端末によりサイドリンク上で第１の論理チャネルにあるデータ及び第２の論理チャネル上にあるデータをそれぞれ上記少なくとも１つの第１の搬送波周波数及び上記少なくとも１つの第２の搬送波周波数を用いることによって第２の端末に送信する前に、この方法は更に、第１の端末により、第１の条件が満たされるかを判定することを含み、第１の条件が満たされる場合に、第１のデータを第１の論理チャネル及び第２の論理チャネルに別々に配信することを含む。
【０３４９】
オプションで、この方法は更に、第１の端末により、第１のチャネル輻輳情報を取得することを含む。
【０３５０】
第１のチャネル輻輳情報が第１のチャネル輻輳閾値である場合、第１の条件は、第３の搬送波周波数についてのチャネル輻輳度が第１のチャネル輻輳閾値以上であることを含み、
第１のチャネル輻輳情報が第２のチャネル輻輳閾値である場合、第１の条件は、第３の搬送波周波数についてのチャネル輻輳度が第２のチャネル輻輳閾値以下であることを含み、又は
第１のチャネル輻輳情報が第１のチャネル輻輳範囲である場合、第１の条件は、第３の搬送波周波数についてのチャネル輻輳度が第１のチャネル輻輳範囲内にあることを含む。
【０３５１】
オプションで、この方法は更に、第１の端末により、信頼性情報を取得することを含む。
【０３５２】
信頼性情報が第１の信頼性閾値を含む場合、第１の条件は、第１のデータに対応するデータ信頼性情報が第１の信頼性閾値以上であることを含み、
信頼性情報が第２の信頼性閾値を含む場合、第１の条件は、第１のデータに対応するデータ信頼性情報が第２の信頼性閾値に等しいことを含み、第２の信頼性閾値は１つ以上の列挙された信頼値であり、又は
信頼性情報が第１の信頼性範囲を含む場合、第１の条件は、第１のデータに対応するデータ信頼性情報が第１の信頼性範囲内にあることを含む。
【０３５３】
オプションで、この方法は更に以下を含み、
具体的に、第２の条件が満たされるときに、第１の端末装置が、同じ第１のデータを第１の論理チャネル及び第２の論理チャネルに配信することを停止すると決定する、ことを含む。
【０３５４】
オプションで、この方法は更に、第１の端末により、第２のチャネル輻輳情報を取得することを含む。
【０３５５】
第２のチャネル輻輳情報が第３のチャネル輻輳閾値及び第４のチャネル輻輳閾値を含む場合、第２の条件は、第１の論理チャネルに対応する上記少なくとも１つの第１の搬送波周波数についてのチャネル輻輳度が第３のチャネル輻輳閾値以上であり、且つ第２の論理チャネルに対応する上記少なくとも１つの第２の搬送波周波数についてのチャネル輻輳度が第４のチャネル輻輳閾値以上であることを含み、又は
第２のチャネル輻輳情報が第５のチャネル輻輳閾値及び第６のチャネル輻輳閾値を含む場合、第２の条件は、第１の論理チャネルに対応する上記少なくとも１つの第１の搬送波周波数についてのチャネル輻輳度が第５のチャネル輻輳閾値以下であり、且つ第２の論理チャネルに対応する上記少なくとも１つの第２の搬送波周波数についてのチャネル輻輳度が第６のチャネル輻輳閾値以下であることを含む。
【０３５６】
第１の論理チャネルに対応する上記少なくとも１つの第１の搬送波周波数についてのチャネル輻輳度は、上記少なくとも１つの第１の搬送波周波数に対応するチャネル輻輳度の最大値、又は上記少なくとも１つの第１の搬送波周波数に対応するチャネル輻輳度の最小値である。
【０３５７】
第２の論理チャネルに対応する上記少なくとも１つの第２の搬送波周波数についてのチャネル輻輳度は、上記少なくとも１つの第２の搬送波周波数に対応するチャネル輻輳度の最大値、又は上記少なくとも１つの第２の搬送波周波数に対応するチャネル輻輳度の最小値である。
【０３５８】
なお、この出願において、第１のチャネル輻輳閾値、第２のチャネル輻輳閾値、第３のチャネル輻輳閾値、第４のチャネル輻輳閾値、第５のチャネル輻輳閾値、及び第６のチャネル輻輳閾値は同じであってもよいし異なってもよく、第１のチャネル輻輳範囲及び第２のチャネル輻輳範囲は同じであってもよいし異なってもよく、また、第１の信頼性閾値及び第２の信頼性閾値は同じであってもよいし異なってもよい。これらは、この出願において限定されることではない。
【０３５９】
オプションで、第１の端末により少なくとも１つの第１の搬送波周波数及び少なくとも１つの第２の搬送波周波数を決定する前に、この方法は更に、
端末のＭＡＣ層により、重複伝送に使用される第１の論理チャネル及び第２の論理チャネルを決定する、ことを含む。
【０３６０】
オプションで、端末のＭＡＣ層により第１の論理チャネル及び第２の論理チャネルを決定することは、具体的に、
ＭＡＣ層により、論理チャネルの識別情報に基づいて第１の論理チャネル及び第２の論理チャネルを決定する、ことを含み、
該識別情報は、優先度、信頼性、遅延、宛先アドレス、及びサービスタイプのうちの少なくとも１つを含み得る。
【０３６１】
あるいは、第１の論理チャネルと第２の論理チャネルとの間にペアリング関係が存在する場合、ＭＡＣ層は、ペアリング関係を持つ論理チャネルに基づいて第１の論理チャネル及び第２の論理チャネルを決定してもよい。
【０３６２】
この方法の様々な実装の詳細な説明については、前述の実施形態における方法の説明を参照されたい。詳細をここで再び説明することはしない。
【０３６３】
当業者が明瞭に理解し得ることには、この出願の実施形態における技術は、必要な一般的なハードウェアプラットフォームと組み合わせてソフトウェアによって実装され得る。そのような理解に基づいて、この出願の実施形態における技術的ソリューションは本質的に、又は従来技術に対して寄与する部分は、ソフトウェアプロダクトの形態で実装され得る。コンピュータソフトウェアプロダクトは、例えばＲＯＭ／ＲＡＭ、磁気ディスク、光ディスク、又はこれらに類するものなどの記憶媒体に格納されることができ、また、コンピュータ装置（パーソナルコンピュータ、サーバ、ネットワーク装置、又はこれらに類するものとし得る）が、この出願の実施形態にて説明された方法又は実施形態の何らかの部分を実行することを可能にするための幾つかの命令を含み得る。
【０３６４】
この明細書中の実施形態における同じ又は同様の部分については相互参照されたい。特に、この出願における前述の実施態様は、基本的に方法実施態様と同様であり、それ故に簡潔に説明されている。関係する部分については、方法実施形態における説明を参照されたい。
【０３６５】
この出願の前述の実装は、この出願の保護範囲を限定することを意図するものではない。
【図１】
2021513276.tif 000009
【図２】
2021513276.tif 000010
【図３】
2021513276.tif 000011
【図４】
2021513276.tif 000012
【図５】
2021513276.tif 000013
【図６】
2021513276.tif 000014
【図７】
2021513276.tif 000015
【図８】
2021513276.tif 000016
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
データ伝送方法であって、
第１の識別子に対応する信頼性情報を有する設定情報を取得し、
データを取得し、該データの信頼性は第１の信頼性であり、
前記第１の信頼性が前記信頼性情報に対応する場合にサイドリンクバッファステータスレポートＢＳＲをネットワーク装置に送信し、該サイドリンクＢＳＲは前記第１の識別子を有する、
ことを有する方法。
【請求項２】
前記信頼性情報は、第２の信頼性閾値を有し、前記第１の信頼性が前記信頼性情報に対応することは、前記第１の信頼性が前記第２の信頼性閾値以上であることを有し、又は
前記信頼性情報は、第３の信頼性閾値を有し、前記第１の信頼性が前記信頼性情報に対応することは、前記第１の信頼性が前記第３の信頼性閾値以下であることを有し、又は
前記信頼性情報は、第２の列挙された信頼値を有し、前記第１の信頼性が前記信頼性情報に対応することは、前記第１の信頼性が前記第２の列挙された信頼値に等しいことを有し、又は
前記信頼性情報は、第２の信頼性範囲を有し、前記第１の信頼性が前記信頼性情報に対応することは、前記第１の信頼性が前記第２の信頼性範囲内にあることを有する、
請求項１に記載の方法。
【請求項３】
前記設定情報は更に優先度情報を有し、前記データに対応する優先度は第１の優先度であり、且つ
前記第１の信頼性が前記信頼性情報に対応する場合にサイドリンクＢＳＲをネットワーク装置に前記送信することは、
前記第１の信頼性が前記信頼性情報に対応し且つ前記第１の優先度が前記優先度情報に対応する場合に前記サイドリンクＢＳＲを前記ネットワーク装置に送信する、
ことを有する、
請求項１又は２に記載の方法。
【請求項４】
前記優先度情報は、第１の優先度閾値を有し、前記第１の優先度が前記優先度情報に対応することは、前記第１の優先度が前記第１の優先度閾値以上であることを有し、又は
前記優先度情報は、第２の優先度閾値を有し、前記第１の優先度が前記優先度情報に対応することは、前記第１の優先度が前記第２の優先度閾値以下であることを有し、又は
前記優先度情報は、第１の列挙された優先値を有し、前記第１の優先度が前記優先度情報に対応することは、前記第１の優先度が前記第１の列挙された優先値に等しいことを有し、又は
前記優先度情報は、第１の優先度範囲を有し、前記第１の優先度が前記優先度情報に対応することは、前記第１の優先度が前記第１の優先度範囲内にあることを有する、
請求項３に記載の方法。
【請求項５】
前記第１の識別子は、
第１の論理チャネルグループ識別子、
第１の宛先アドレス識別子、又は
第１の論理チャネルグループ識別子と第１の宛先アドレス識別子、
を有する、請求項１乃至４のいずれか一項に記載の方法。
【請求項６】
データ伝送方法であって、
第１の識別子に対応する信頼性情報を有する設定情報を端末に送信し、前記設定情報は、前記端末のデータの信頼性が前記信頼性情報に対応する場合に、前記端末によってネットワーク装置に送信されるサイドリンクバッファステータスレポートＢＳＲが前記第１の識別子を有すること、を設定するために使用され、
前記端末からの前記サイドリンクＢＳＲを受信する、
ことを有する方法。
【請求項７】
前記信頼性情報は、第２の信頼性閾値を有し、前記データの前記信頼性が前記信頼性情報に対応することは、前記データの前記信頼性が前記第２の信頼性閾値以上であることを有し、又は
前記信頼性情報は、第３の信頼性閾値を有し、前記データの前記信頼性が前記信頼性情報に対応することは、前記データの前記信頼性が前記第３の信頼性閾値以下であることを有し、又は
前記信頼性情報は、第２の列挙された信頼値を有し、前記データの前記信頼性が前記信頼性情報に対応することは、前記データの前記信頼性が前記第２の列挙された信頼値に等しいことを有し、又は
前記信頼性情報は、第２の信頼性範囲を有し、前記データの前記信頼性が前記信頼性情報に対応することは、前記データの前記信頼性が前記第２の信頼性範囲内にあることを有する、
請求項６に記載の方法。
【請求項８】
前記設定情報は更に優先度情報を有し、
前記設定情報は、前記端末の前記データの前記信頼性が前記信頼性情報に対応し且つ前記データの優先度が前記優先度情報に対応する場合に、前記端末によって前記ネットワーク装置に送信される前記サイドリンクＢＳＲが前記第１の識別子を有すること、を設定するために使用される、
請求項６又は７に記載の方法。
【請求項９】
前記優先度情報は、第１の優先度閾値を有し、前記データの前記優先度が前記優先度情報に対応することは、前記データの前記優先度が前記第１の優先度閾値以上であることを有し、又は
前記優先度情報は、第２の優先度閾値を有し、前記データの前記優先度が前記優先度情報に対応することは、前記データの前記優先度が前記第２の優先度閾値以下であることを有し、又は
前記優先度情報は、第１の列挙された優先値を有し、前記データの前記優先度が前記優先度情報に対応することは、前記データの前記優先度が前記第１の列挙された優先値に等しいことを有し、又は
前記優先度情報は、第１の優先度範囲を有し、前記データの前記優先度が前記優先度情報に対応することは、前記データの前記優先度が前記第１の優先度範囲内にあることを有する、
請求項８に記載の方法。
【請求項１０】
前記第１の識別子は、
第１の論理チャネルグループ識別子、
第１の宛先アドレス識別子、又は
第１の論理チャネルグループ識別子と第１の宛先アドレス識別子、
を有する、請求項６乃至９のいずれか一項に記載の方法。
【請求項１１】
プロセッサを有するデータ伝送装置であって、
前記プロセッサは、メモリに結合し、前記メモリ内の命令を読み、且つ該命令に従って請求項１乃至１０のいずれか一項に記載の方法を実行する、ように構成されている、
装置。
【請求項１２】
前記メモリを更に有する請求項１１に記載の装置。
【請求項１３】
プログラムを格納するように構成されたコンピュータ読み取り可能記憶媒体であって、前記プログラムは、請求項１乃至１０のいずれか一項に記載の方法を実行するための命令を含む、コンピュータ読み取り可能記憶媒体。
【手続補正２】
【補正対象書類名】明細書
【補正対象項目名】０１３４
【補正方法】変更
【補正の内容】
【０１３４】
また、基地局は、異なる優先度を持つデータを、異なる搬送波周波数を用いることによって伝送されるように設定し得る。例えば、基地局は、ＲＲＣシグナリングを用いることによって、その優先度が１であるデータに対して搬送波周波数セット｛ＣＣ１，ＣＣ２，ＣＣ３｝を設定し、その優先度が２であるデータに対しては搬送波周波数セット｛ＣＣ１，ＣＣ４，ＣＣ５｝を設定し得る。斯くして、その優先度が１であるデータは、搬送波周波数ＣＣ１、ＣＣ２、又はＣＣ３を用いて伝送されることが許され、その優先度が２であるデータは、搬送波周波数ＣＣ１、ＣＣ４、又はＣＣ５を用いて伝送されることが許される。
【手続補正３】
【補正対象書類名】明細書
【補正対象項目名】０２７３
【補正方法】変更
【補正の内容】
【０２７３】
具体的には、優先度情報は、第３の優先度閾値を含み、第１の優先度が優先度情報に対応することは、第１の優先度が第３の優先度閾値以上であることを含み、
優先度情報は、第４の優先度閾値を含み、第１の優先度が優先度情報に対応することは、第１の優先度が第４の優先度閾値以下であることを含み、
優先度情報は、第２の列挙された優先値を含み、第１の優先度が優先度情報に対応することは、第１の優先度が第２の列挙された優先値に等しいことを含み、列挙された値は、一群の離散値、識別子、又はインデックスとすることができ、第１の優先度が第２の列挙された優先値に等しいことは、第１の優先度が第２の列挙された優先値の中のいずれかのアイテムに等しいことを意味し、例えば、第１の優先度が優先度１であり、且つ第２の列挙された優先値が｛優先度１，優先度５，優先度６｝である場合、第１の優先度は第２の列挙された優先値に等しく、又は
優先度情報は、第２の優先度範囲を含み、第１の優先度が優先度情報に属することは、第１の優先度が第２の優先度範囲内にあることを含む。
【手続補正４】
【補正対象書類名】明細書
【補正対象項目名】０３０６
【補正方法】変更
【補正の内容】
【０３０６】
第２の条件は、第４の搬送波周波数についてのチャネル輻輳度が第３のチャネル輻輳閾値以上であること、
第４の搬送波周波数についてのチャネル輻輳度が第４のチャネル輻輳閾値以下であること、又は
第４の搬送波周波数についてのチャネル輻輳度が第２のチャネル輻輳範囲内にあることを含む。
【手続補正５】
【補正対象書類名】明細書
【補正対象項目名】０３３０
【補正方法】変更
【補正の内容】
【０３３０】
ネットワークデバイスが、第２の条件を指し示す情報を生成し、該第２の条件を指し示す情報を送信する。
【手続補正６】
【補正対象書類名】明細書
【補正対象項目名】０３３６
【補正方法】変更
【補正の内容】
【０３３６】
さらに、この実施形態において、ネットワーク装置は更に、端末のサイドリンクステータスを取得して、端末のためのリソースをより良好にスケジュールするために、端末に設定情報を送信するように構成される。ネットワーク装置は、
ネットワーク装置により、設定情報を端末に送信し、該設定情報は、第１の識別子に対応する信頼性情報を含み、該設定情報は、端末のデータの信頼性が信頼性情報に対応する場合に、サイドリンクバッファステータスレポートＢＳＲ内の第１のデータフィールドを第１の識別子として設定するように端末を設定するために使用され、そして、
ネットワーク装置により、端末からのサイドリンクＢＳＲを受信する、
ように構成される。
【国際調査報告】
2021513276.tif 000017
2021513276.tif 000018
2021513276.tif 000019
2021513276.tif 000020